(57)【特許請求の範囲】
【請求項１】
バックライトであって、
光ガイドであって、前記光ガイドの長さに沿ってガイド光として光をガイドするように構成され、前記光ガイドからの前記ガイド光の一部を放射光として散乱させるように構成された角度維持散乱特徴部を有する光ガイドと、
光源と前記光ガイドとの間にあり、前記光源によって提供される光をコリメート光としてコリメートし、前記ガイド光としてガイドされるように前記コリメート光を前記光ガイドに伝達するように構成されたテーパ付きコリメータとを含み、
前記コリメート光が前記光ガイドの幅方向において前記ガイド光の所定の角度広がりを提供するように構成されたコリメーション係数を有し、前記コリメーション係数が前記テーパ付きコリメータのテーパの関数であり、
前記テーパ付きコリメータが、前記光ガイドの幅にわたって前記コリメーション光による空間的および角度的に均一な照射を提供するように構成された複数のテーパ付きコリメーションセグメントを含み、
前記放射光の角度広がりが、前記ガイド光の前記コリメーション係数の関数である、バックライト。
【請求項２】
前記角度維持散乱特徴部が、前記光ガイド長さに沿って互いに離間した複数のマルチビーム要素を備え、前記複数のマルチビーム要素のうちのマルチビーム要素が、マルチビューピクセルを含むマルチビューディスプレイのそれぞれ異なるビュー方向に対応する異なる主角度方向を有する複数の指向性光ビームとして前記光ガイドから前記ガイド光の一部を外へ結合するように構成され、
前記マルチビーム要素のサイズが、前記マルチビューディスプレイのマルチビューピクセル内のビューピクセルのサイズと同等である、請求項１に記載のバックライト。
【請求項３】
前記複数のマルチビーム要素の前記マルチビーム要素と、対応する前記マルチビューディスプレイのマルチビューピクセルとの間の関係が一対一の関係であり、
前記複数のマルチビーム要素のうちのマルチビーム要素対間の要素間距離が、対応するマルチビューピクセル対間のピクセル間距離に等しい、請求項２に記載のバックライト。
【請求項４】
前記マルチビーム要素の前記サイズが前記ビューピクセルサイズの５０パーセントから２００パーセントの間である、請求項２または３に記載のバックライト。
【請求項５】
前記マルチビーム要素が、前記ガイド光の前記一部を外へ結合するために前記光ガイドに光学的に接続された回折格子、微小反射要素、および微小屈折要素のうちの１つを含む、請求項２から４のいずれか一項に記載のバックライト。
【請求項６】
前記テーパ付きコリメータが、入射縁部で前記光ガイドの幅に沿って配置された複数のテーパ付きコリメーションセグメントを備え、テーパ付きコリメーションセグメントが、前記光ガイド幅に対応する前記光ガイドの平面に側壁テーパを有し、前記側壁テーパが、前記テーパ付きコリメーションセグメントの光源隣接端から前記光ガイドに隣接する対向端までの距離の関数として、前記テーパ付きコリメーションセグメントの幅の増加を提供する、請求項１から５のいずれか一項に記載のバックライト。
【請求項７】
前記側壁テーパが距離の線形関数である、請求項６に記載のバックライト。
【請求項８】
前記テーパ付きコリメーションセグメントが、前記側壁テーパに直交する方向に厚さテーパをさらに含む、請求項６または７に記載のバックライト。
【請求項９】
前記厚さテーパが、前記テーパ付きコリメーションセグメントの前記光源隣接端から前記光ガイド隣接端までの距離の関数として、前記テーパ付きコリメーションセグメントの厚さの減少を含む、請求項８に記載のバックライト。
【請求項１０】
前記テーパ付きコリメータが前記光ガイドの材料を含む、請求項１から９のいずれか一項に記載のバックライト。
【請求項１１】
前記テーパ付きコリメータが、前記テーパ付きコリメータの入力端に、前記光源から前記テーパ付きコリメータに入る光の発散を提供するように構成された表面構造をさらに含む、請求項１から１０のいずれか一項に記載のバックライト。
【請求項１２】
請求項１から１１のいずれか一項に記載のバックライトを備えるマルチビューディスプレイであって、前記放射光の光ビームを変調するように構成された光バルブの配列、ビューピクセルに対応する前記配列の光バルブ、前記マルチビューディスプレイのマルチビューピクセルに対応する前記配列の光バルブのセットをさらに備える、マルチビューディスプレイ。
【請求項１３】
マルチビューディスプレイであって、
前記マルチビューディスプレイの複数の異なるビューを提供するように構成されたマルチビューピクセルの配列であって、マルチビューピクセルが、前記異なるビューの異なるビュー方向に対応する異なる主角度方向を有する複数の光ビームを変調するように構成された複数のビューピクセルを含む、マルチビューピクセルの配列と、
マルチビーム要素の配列を含む角度維持散乱特徴部を有する光ガイドであって、各マルチビーム要素が、前記光ガイドからガイド光の一部を放射光として外へ結合することにより、対応するマルチビューピクセルに前記複数の光ビームを提供するように構成される、光ガイドと、
前記光ガイドの幅方向に前記ガイド光の所定の角度広がりを提供する所定のコリメーション係数によって光をコリメートし、かつ前記コリメート光を前記ガイド光としてガイドされるように前記光ガイドに提供するように構成されるテーパ付きコリメータを含み、
前記テーパ付きコリメータが、前記光ガイドの幅にわたって前記コリメーション光による空間的および角度的に均一な照射を提供するように構成された複数のテーパ付きコリメーションセグメントを含み、
前記放射光の角度広がりが、前記ガイド光の前記コリメーション係数の関数である、マルチビューディスプレイ。
【請求項１４】
前記マルチビーム要素配列のマルチビーム要素のサイズが、前記複数のビューピクセルのビューピクセルのサイズと同等であり、前記マルチビーム要素間の要素間距離が前記マルチビューピクセル間のピクセル間距離に実質的に等しい、請求項１３に記載のマルチビューディスプレイ。
【請求項１５】
前記マルチビーム要素の前記サイズが前記ビューピクセルサイズの半分より大きく、前記ビューピクセルサイズの２倍より小さい、請求項１４に記載のマルチビューディスプレイ。
【請求項１６】
前記マルチビーム要素が、前記ガイド光の前記一部を外へ結合するために前記光ガイドに光学的に接続された回折格子、微小反射要素、および微小屈折要素のうちの１つ以上を含む、請求項１３から１５のいずれか一項に記載のマルチビューディスプレイ。
【請求項１７】
前記テーパ付きコリメータに光を提供するように構成された光源をさらに備え、前記光源が複数の発光ダイオードを備える、請求項１３から１６のいずれか一項に記載のマルチビューディスプレイ。
【請求項１８】
前記テーパ付きコリメータが、前記光ガイドの幅に沿って配置された複数のテーパ付きコリメーションセグメントを備え、テーパ付きコリメーションセグメントが、前記光ガイド幅に対応する前記光ガイドの平面に側壁テーパを有し、前記側壁テーパが、前記テーパ付きコリメーションセグメントの光源隣接端から前記光ガイドに隣接する対向端までの距離の関数として、前記テーパ付きコリメーションセグメントの幅の増加を提供する、請求項１３から１７のいずれか一項に記載のマルチビューディスプレイ。
【請求項１９】
前記マルチビューピクセル配列の前記マルチビューピクセルが光バルブのセットを備え、前記マルチビューピクセルのビューピクセルが前記セットの光バルブを備える、請求項１３から１８のいずれか一項に記載のマルチビューディスプレイ。
【請求項２０】
バックライト動作の方法であって、
テーパ付きコリメータを使用してコリメーション係数によって光をコリメートするステップと、
前記コリメーション係数を有するガイド光として、光ガイドの長さに沿った伝播方向に前記コリメート光をガイドするステップであって、前記コリメーション係数が、前記光ガイドの幅方向において前記ガイド光の所定の角度広がりを提供するように構成されるステップと、
前記光ガイドの角度維持散乱特徴部を使用して、前記ガイド光の一部を前記光ガイドから散乱させるステップとを含み、
前記ガイド光の前記散乱部分が前記バックライトによって放射光として放射され、
前記放射光の角度広がりが、前記ガイド光の前記コリメーション係数の関数であり、
前記テーパ付きコリメータが、前記光ガイドの幅にわたって前記コリメーション光による空間的および角度的に均一な照射を提供するように構成された複数のテーパ付きコリメーションセグメントを備える、バックライト動作の方法。
【請求項２１】
前記テーパ付きコリメーションセグメントが、前記テーパ付きコリメーションセグメントの光源隣接端から前記光ガイドに隣接する対向端までの距離の関数として増加する前記光ガイドの幅に対応する前記光ガイドの平面に幅を有する、請求項２０に記載のバックライト動作の方法。
【請求項２２】
前記角度維持散乱特徴部がマルチビーム要素を含み、前記放射光が互いに異なる主角度方向を有する複数の指向性光ビームを含み、前記異なる主角度方向がマルチビューディスプレイのそれぞれ異なるビュー方向に対応する、請求項２０または２１に記載のバックライト動作の方法。
【請求項２３】
前記マルチビーム要素のサイズが前記マルチビューディスプレイのマルチビューピクセル内のビューピクセルのサイズと同等である、請求項２２に記載のバックライト動作の方法。
【請求項２４】
前記マルチビーム要素が、前記光ガイドに光学的に結合されて前記ガイド光部分を回折により外へ結合する回折格子、前記光ガイドに光学的に結合されて前記ガイド光部分を屈折により外へ結合する屈折要素、および前記光ガイドに光学的に結合されて前記複数の指向性光ビームとして前記ガイド光部分を反射により外へ結合する反射要素のうちの１つまたはそれ以上を含む、請求項２２または２３に記載のバックライト動作の方法。
【請求項２５】
複数の光バルブを使用して前記放射光を変調するステップをさらに含む、請求項２０から２４のいずれか一項に記載のバックライト動作の方法。
【発明の詳細な説明】
【技術分野】
【０００１】
関連出願の相互参照
該当なし
【０００２】
連邦政府による資金提供を受けた研究開発の記載
該当なし
【背景技術】
【０００３】
電子ディスプレイは、様々なデバイスや製品のユーザに情報を伝達するためのほぼどこにでもある媒体である。最も一般的に採用されている電子ディスプレイには、ブラウン管（ＣＲＴ）、プラズマディスプレイパネル（ＰＤＰ）、液晶ディスプレイ（ＬＣＤ）、エレクトロルミネセントディスプレイ（ＥＬ）、有機発光ダイオード（ＯＬＥＤ）、アクティブマトリックスＯＬＥＤ（ＡＭＯＬＥＤ）ディスプレイ、電気泳動ディスプレイ（ＥＰ）および電気機械式または電気流体式の光変調を使用する様々なディスプレイ（デジタルマイクロミラーデバイス、エレクトロウェッティングディスプレイなど）が含まれる。一般に、電子ディスプレイは、アクティブディスプレイ（つまり、光を放射するディスプレイ）またはパッシブディスプレイ（つまり、別の光源から提供される光を変調するディスプレイ）に分類できる。アクティブディスプレイの最も分かりやすい例には、ＣＲＴ、ＰＤＰおよびＯＬＥＤ／ＡＭＯＬＥＤがある。放射光を考慮するときに一般的にパッシブとして分類されるディスプレイは、ＬＣＤおよびＥＰディスプレイである。パッシブディスプレイは、本質的に低消費電力を含むがこれに限定されない魅力的なパフォーマンス特性を示すことがよくあるが、光を放射する能力がないことを考えると、多くの実用途において使用が多少制限される。
放射光に関連するパッシブディスプレイの制限を克服するために、多くのパッシブディスプレイが外部光源に結合されている。結合された光源は、それがなければパッシブディスプレイが光を放射し、実質的にアクティブディスプレイとして機能することを可能にし得る。そのような結合光源の例は、バックライトである。バックライトは、パッシブディスプレイを照らすためにパッシブディスプレイの背後に配置される光源（多くの場合、パネルバックライト）として機能する。例えば、バックライトはＬＣＤまたはＥＰディスプレイに結合できる。バックライトは、ＬＣＤまたはＥＰディスプレイを通過する光を放射する。放射された光は、ＬＣＤまたはＥＰディスプレイによって変調され、変調された光は次にＬＣＤまたはＥＰディスプレイから放射される。多くの場合、バックライトは白色光を放射するように構成されている。次に、カラーフィルタを使用して、白色光をディスプレイで使用される様々な色に変換する。カラーフィルタは、例えば、ＬＣＤまたはＥＰディスプレイの出力に（あまり一般的ではない）、またはバックライトとＬＣＤまたはＥＰディスプレイとの間に配置することができる。
【発明の概要】
【０００４】
本開示は、以下の［１］から［２６］を含む。
［１］バックライトであって、
光ガイドであって、上記光ガイドの長さに沿ってガイド光として光をガイドするように構成され、上記光ガイドからの上記ガイド光の一部を放射光として散乱させるように構成された角度維持散乱特徴部を有する光ガイドと、
光源と上記光ガイドとの間にあり、上記光源によって提供される光をコリメート光としてコリメートし、上記ガイド光としてガイドされるように上記コリメート光を上記光ガイドに伝達するように構成されたテーパ付きコリメータとを含み、
上記コリメート光が上記ガイド光の所定の角度広がりを提供するように構成されたコリメーション係数を有し、上記コリメーション係数が上記テーパ付きコリメータのテーパの関数である、バックライト。
［２］上記テーパ付きコリメータによって提供される上記コリメート光が、上記コリメート光による上記光ガイドの均一な空間角照明を促進する、上記［１］に記載のバックライト。［３］上記角度維持散乱特徴部が、上記光ガイド長さに沿って互いに離間した複数のマルチビーム要素を備え、上記複数のマルチビーム要素のうちのマルチビーム要素が、マルチビューピクセルを含むマルチビューディスプレイのそれぞれ異なるビュー方向に対応する異なる主角度方向を有する複数の指向性光ビームとして上記光ガイドから上記ガイド光の一部を外へ結合するように構成され、
上記マルチビーム要素のサイズが、上記マルチビューディスプレイのマルチビューピクセル内のビューピクセルのサイズと同等である、上記［１］に記載のバックライト。
［４］上記複数のマルチビーム要素の上記マルチビーム要素と、対応する上記マルチビューディスプレイのマルチビューピクセルとの間の関係が一対一の関係であり、
上記複数のマルチビーム要素のうちのマルチビーム要素対間の要素間距離が、対応するマルチビューピクセル対間のピクセル間距離に等しい、上記［３］に記載のバックライト。
［５］上記マルチビーム要素の上記サイズが上記ビューピクセルサイズの５０パーセントから２００パーセントの間である、上記［３］に記載のバックライト。
［６］上記マルチビーム要素が、上記ガイド光の上記一部を外へ結合するために上記光ガイドに光学的に接続された回折格子、微小反射要素、および微小屈折要素のうちの１つを含む、上記［３］に記載のバックライト。
［７］上記テーパ付きコリメータが、入射縁部で上記光ガイドの幅に沿って配置された複数のテーパ付きコリメーションセグメントを備え、テーパ付きコリメーションセグメントが、上記光ガイド幅に対応する上記光ガイドの平面に側壁テーパを有し、上記側壁テーパが、上記テーパ付きコリメーションセグメントの光源隣接端から上記光ガイドに隣接する対向端までの距離の関数として、上記テーパ付きコリメーションセグメントの幅の増加を提供する、上記［１］に記載のバックライト。
［８］上記側壁テーパが距離の線形関数である、上記［７］に記載のバックライト。
［９］上記テーパ付きコリメーションセグメントが、上記側壁テーパに直交する方向に厚さテーパをさらに含む、上記［７］に記載のバックライト。
［１０］上記厚さテーパが、上記テーパ付きコリメーションセグメントの上記光源隣接端から上記光ガイド隣接端までの距離の関数として、上記テーパ付きコリメーションセグメントの厚さの減少を含む、上記［９］に記載のバックライト。
［１１］上記テーパ付きコリメータが上記光ガイドの材料を含む、上記［１］に記載のバックライト。
［１２］上記テーパ付きコリメータが、上記テーパ付きコリメータの入力端に、上記光源から上記テーパ付きコリメータに入る光の発散を提供するように構成された表面構造をさらに含む、上記［１］に記載のバックライト。
［１３］上記［１］に記載のバックライトを備えるマルチビューディスプレイであって、上記放射光の光ビームを変調するように構成された光バルブの配列、ビューピクセルに対応する上記配列の光バルブ、上記マルチビューディスプレイのマルチビューピクセルに対応する上記配列の光バルブのセットをさらに備える、マルチビューディスプレイ。
［１４］マルチビューディスプレイであって、
上記マルチビューディスプレイの複数の異なるビューを提供するように構成されたマルチビューピクセルの配列であって、マルチビューピクセルが、上記異なるビューの異なるビュー方向に対応する異なる主角度方向を有する複数の光ビームを変調するように構成された複数のビューピクセルを含む、マルチビューピクセルの配列と、
マルチビーム要素の配列を含む角度維持散乱特徴部を有する光ガイドであって、各マルチビーム要素が、上記光ガイドからガイド光の一部を外へ結合することにより、対応するマルチビューピクセルに上記複数の光ビームを提供するように構成される、光ガイドと、
所定のコリメーション係数によって光をコリメートし、かつ上記コリメート光を上記ガイド光としてガイドされるように上記光ガイドに提供するように構成されるテーパ付きコリメータを含む、マルチビューディスプレイ。
［１５］上記マルチビーム要素配列のマルチビーム要素のサイズが、上記複数のビューピクセルのビューピクセルのサイズと同等であり、上記マルチビーム要素間の要素間距離が上記マルチビューピクセル間のピクセル間距離に実質的に等しい、上記［１４］に記載のマルチビューディスプレイ。
［１６］上記マルチビーム要素の上記サイズが上記ビューピクセルサイズの半分より大きく、上記ビューピクセルサイズの２倍より小さい、上記［１５］に記載のマルチビューディスプレイ。
［１７］上記マルチビーム要素が、上記ガイド光の上記一部を外へ結合するために上記光ガイドに光学的に接続された回折格子、微小反射要素、および微小屈折要素のうちの１つ以上を含む、上記［１４］に記載のマルチビューディスプレイ。
［１８］上記テーパ付きコリメータに光を提供するように構成された光源をさらに備え、上記光源が複数の発光ダイオードを備える、上記［１４］に記載のマルチビューディスプレイ。［１９］上記テーパ付きコリメータが、上記光ガイドの幅に沿って配置された複数のテーパ付きコリメーションセグメントを備え、テーパ付きコリメーションセグメントが、上記光ガイド幅に対応する上記光ガイドの平面に側壁テーパを有し、上記側壁テーパが、上記テーパ付きコリメーションセグメントの光源隣接端から上記光ガイドに隣接する対向端までの距離の関数として、上記テーパ付きコリメーションセグメントの幅の増加を提供する、上記［１４］に記載のマルチビューディスプレイ。
［２０］上記マルチビューピクセル配列の上記マルチビューピクセルが光バルブのセットを備え、上記マルチビューピクセルのビューピクセルが上記セットの光バルブを備える、上記［１４］に記載のマルチビューディスプレイ。
［２１］バックライト動作の方法であって、
テーパ付きコリメータを使用してコリメーション係数によって光をコリメートするステップと、
上記コリメーション係数を有するガイド光として、光ガイドの長さに沿った伝播方向に上記コリメート光をガイドするステップであって、上記コリメーション係数が、上記ガイド光の所定の角度広がりを提供するように構成されるステップと、
上記光ガイドの角度維持散乱特徴部を使用して、上記ガイド光の一部を上記光ガイドから散乱させるステップとを含み、
上記ガイド光の上記散乱部分が上記バックライトによって放射光として放射される、バックライト動作の方法。
［２２］上記テーパ付きコリメータが複数のテーパ付きコリメーションセグメントを備え、テーパ付きコリメーションセグメントが、上記テーパ付きコリメーションセグメントの光源隣接端から上記光ガイドに隣接する対向端までの距離の関数として増加する上記光ガイドの幅に対応する上記光ガイドの平面に幅を有する、上記［２１］に記載のバックライト動作の方法。
［２３］上記角度維持散乱特徴部がマルチビーム要素を含み、上記放射光が互いに異なる主角度方向を有する複数の指向性光ビームを含み、上記異なる主角度方向がマルチビューディスプレイのそれぞれ異なるビュー方向に対応する、上記［２１］に記載のバックライト動作の方法。
［２４］上記マルチビーム要素のサイズが上記マルチビューディスプレイのマルチビューピクセル内のビューピクセルのサイズと同等である、上記［２３］に記載のバックライト動作の方法。
［２５］上記マルチビーム要素が、上記光ガイドに光学的に結合されて上記ガイド光部分を回折により外へ結合する回折格子、上記光ガイドに光学的に結合されて上記ガイド光部分を屈折により外へ結合する屈折要素、および上記光ガイドに光学的に結合されて上記複数の指向性光ビームとして上記ガイド光部分を反射により外へ結合する反射要素のうちの１つまたはそれ以上を含む、上記［２３］に記載のバックライト動作の方法。
［２６］複数の光バルブを使用して上記放射光を変調するステップをさらに含む、上記［２１］に記載のバックライト動作の方法。
本明細書に記載の原理による例および実施形態の様々な特徴は、添付の図面と併せて以下の詳細な説明を参照することにより、より容易に理解することができ、類似の参照番号は類似の構造要素を示す。
【図面の簡単な説明】
【０００５】
【図１Ａ】本明細書で説明される原理と一致する実施形態による、一例におけるマルチビューディスプレイの斜視図を示す。
【図１Ｂ】本明細書で説明される原理と一致する実施形態による、一例におけるマルチビューディスプレイのビュー方向に対応する特定の主角度方向を有する光ビームの角成分の図形表現を示す。
【図２】本明細書で説明される原理と一致する実施形態による、一例における回折格子の断面図を示す。
【図３Ａ】本明細書で説明される原理と一致する実施形態による、一例におけるバックライトの断面図を示す。
【図３Ｂ】本明細書で説明される原理と一致する実施形態による、一例におけるバックライトの平面図を示す。
【図３Ｃ】本明細書で説明される原理と一致する実施形態による、一例におけるバックライトの斜視図を示す。
【図４Ａ】本明細書で説明される原理と一致する実施形態による、一例におけるテーパ付きコリメータの平面図を示す。
【図４Ｂ】本明細書で説明される原理と一致する実施形態による、一例におけるテーパ付きコリメータの一部の平面図を示す。
【図４Ｃ】本明細書で説明される原理と一致する実施形態による、別の例におけるテーパ付きコリメータの一部の平面図を示す。
【図５】本明細書で説明される原理と一致する実施形態による、一例におけるテーパ付きコリメータの断面図を示す。
【図６Ａ】本明細書で説明される原理と一致する実施形態による、一例におけるマルチビューバックライトの断面図を示す。
【図６Ｂ】本明細書で説明される原理と一致する実施形態による、一例におけるマルチビューバックライトの平面図を示す。
【図６Ｃ】本明細書で説明される原理と一致する実施形態による、一例におけるマルチビューバックライトの斜視図を示す。
【図７Ａ】本明細書で説明される原理と一致する実施形態による、一例におけるマルチビーム要素を含むマルチビューバックライトの一部の断面図を示す。
【図７Ｂ】本明細書で説明される原理と一致する別の実施形態による、一例におけるマルチビーム要素を含むマルチビューバックライトの一部の断面図を示す。
【図８Ａ】本明細書で説明される原理と一致する別の実施形態による、一例におけるマルチビーム要素を含むマルチビューバックライトの一部の断面図を示す。
【図８Ｂ】本明細書で説明される原理と一致する別の実施形態による、一例におけるマルチビーム要素を含むマルチビューバックライトの一部の断面図を示す。
【図９】本明細書で説明される原理と一致する別の実施形態による、一例におけるマルチビーム要素を含むマルチビューバックライトの一部の断面図を示す。
【図１０】本明細書で説明される原理と一致する実施形態による、一例におけるマルチビューディスプレイのブロック図を示す。
【図１１】本明細書で説明される原理と一致する実施形態による、一例におけるマルチビューバックライト動作の方法のフローチャートを示す。
【発明を実施するための形態】
【０００６】
特定の例および実施形態は、上記で参照した図に示された特徴に加えて、およびその代わりの１つである他の特徴を有する。これらの機能およびその他の機能については、上記で参照した図を参照して以下で詳しく説明する。
【０００７】
本明細書で説明される原理による実施例および実施形態は、角度維持散乱を有し、電子ディスプレイ、特にマルチビューディスプレイに適用されるテーパ付きコリメータを採用するバックライトを提供する。本明細書で説明される原理と一致する様々な実施形態では、角度維持散乱特徴部を使用するバックライトが提供される。一部の実施形態では、角度維持散乱特徴部は、複数の異なる主角度方向を有する光ビームを有し得る放射光を提供するように構成される。放射光の光ビームの異なる主角度方向は、例えば、マルチビューディスプレイの様々な異なるビューの方向に対応し得る。さらに、様々な実施形態によれば、テーパ付きコリメータを使用して、コリメート光をバックライトに提供する。テーパ付きコリメータは、様々な実施形態によれば、バックライトの空間的および角度的に実質的に均一な照明を促進または提供し得る。
【０００８】
本明細書において、「マルチビューディスプレイ」は、異なるビュー方向でマルチビュー画像の異なるビューを提供するように構成された電子ディスプレイまたはディスプレイシステムとして定義される。図１Ａは、本明細書で説明される原理と一致する実施形態による、一例におけるマルチビューディスプレイ１０の斜視図を示す。図１Ａに示すように、マルチビューディスプレイ１０は、見られることになるマルチビュー画像を表示するスクリーン１２を含む。マルチビューディスプレイ１０は、スクリーン１２に対して異なるビュー方向１６でマルチビュー画像の異なるビュー１４を提供する。ビュー方向１６は、スクリーン１２から様々な異なる主角度方向に延びる矢印として示されており、異なるビュー１４は、矢印の終端に影付きの多角形ボックスとして示されており（すなわち、ビュー方向１６を描いている）、また、４つのビュー１４および４つのビュー方向１６のみが示されており、これらはすべて例示であって限定ではない。図１Ａではスクリーンの上方に異なるビュー１４が示されているが、マルチビュー画像がマルチビューディスプレイ１０に表示されると、ビュー１４は実際にはスクリーン１２上またはスクリーン１２の近くに現れることに留意されたい。スクリーン１２の上方にビュー１４を描くことは、説明を簡単にするためだけであり、特定のビュー１４に対応するビュー方向１６のそれぞれからマルチビューディスプレイ１０を見ることを表すことを意図している。
【０００９】
ビュー方向または同等にはマルチビューディスプレイのビュー方向に対応する方向を有する光ビームは、一般に、本明細書の定義により、角度成分｛θ、φ｝によって与えられる主角度方向を有する。本明細書では、角度成分θは、光ビームの「仰角成分」または「仰角」と称する。角度成分φは、光ビームの「方位角成分」または「方位角」と称する。定義により、仰角θは垂直面の角度（例えば、マルチビューディスプレイ画面の平面に垂直）であり、方位角φは水平面の角度（例えば、マルチビューディスプレイ画面の平面に平行）である。図１Ｂは、本明細書で説明される原理と一致する実施形態による、一例におけるマルチビューディスプレイのビュー方向（例えば、図１Ａのビュー方向１６）に対応する特定の主角度方向を有する光ビーム２０の角度成分｛θ、φ｝の図形表現を示す。加えて、光ビーム２０は、本明細書の定義により、特定の点から放射または発出される。すなわち、定義により、光ビーム２０は、マルチビューディスプレイ内の特定の原点に関連付けられた中心光ビームを有する。図１Ｂは、光ビーム（またはビュー方向）の原点Ｏも示している。
【００１０】
さらに、本明細書では、「マルチビュー画像」および「マルチビューディスプレイ」という用語で使用される「マルチビュー」という用語は、異なる視点を表す、または複数のビューのビュー間の角度視差を含む複数のビューとして定義される。さらに、本明細書では、「マルチビュー」という用語は、本明細書の定義により、２つより多い異なるビュー（すなわち、最低３つのビューおよび一般に３つより多いビュー）を明示的に含む。したがって、本明細書で使用される「マルチビューディスプレイ」は、シーンまたは画像を表すために２つの異なるビューのみを含む立体ディスプレイとは明確に区別される。ただし、マルチビュー画像およびマルチビューディスプレイには３つ以上のビューが含まれるが、本明細書の定義により、マルチビュー画像は、マルチビューのビューのうち２つだけを選択して立体画像のペアとして（例えば、マルチビューディスプレイで）一度に見ることができる（例えば、１つの目につき１つのビュー）。
【００１１】
「マルチビューピクセル」は、本明細書では、マルチビューディスプレイの同様の複数の異なるビューのそれぞれにおける「ビュー」ピクセルを表すビューピクセルのセットとして定義される。特に、マルチビューピクセルは、マルチビュー画像の異なるビューのそれぞれのビューピクセルに対応する、またはビューピクセルを表す個々のビューピクセルを持つことができる。さらに、マルチビューピクセルのビューピクセルは、本明細書の定義により、ビューピクセルのそれぞれが異なるビューの対応するビューの所定のビュー方向に関連付けられるという点で、いわゆる「方向ピクセル」である。さらに、様々な例および実施形態によれば、マルチビューピクセルのビューピクセルによって表される異なるビューピクセルは、異なるビューのそれぞれにおいて同等または少なくとも実質的に同様の位置または座標を有し得る。例えば、第１のマルチビューピクセルには、マルチビュー画像の異なるビューのそれぞれのビューの｛ｘ１、ｙ１｝にあるビューピクセルに対応する個別のビューピクセルがあり、第２のマルチビューピクセルには、異なるビューのそれぞれのビューの｛ｘ２、ｙ２｝にあるビューピクセルに対応する個別のビューピクセルがあり、以下同様である。
【００１２】
一部の実施形態では、マルチビューピクセル内のビューピクセルの数は、マルチビューディスプレイのビューの数に等しくてもよい。例えば、マルチビューピクセルは、６４個の異なるビューを有するマルチビューディスプレイに関連付けられた６４個のビューピクセルを提供し得る。別の例では、マルチビューディスプレイは８×４のビューの配列（すなわち、３２個のビュー）を提供することができ、マルチビューピクセルは、３２個（すなわち、各ビューに１つ）のビューピクセルを含むことができる。加えて、異なるビューピクセルのそれぞれは、例えば、上記の例では、６４個の異なるビューに対応する、または３２個の異なるビューに対応する、ビュー方向の異なる１つに対応する関連方向（例えば、光ビーム主角度方向）を有し得る。さらに、一部の実施形態によれば、マルチビューディスプレイのマルチビューピクセルの数は、マルチビューディスプレイビューの「ビュー」ピクセル（すなわち、選択されたビューを構成するピクセル）の数と実質的に等しくてもよい。例えば、ビューに６４０×４８０ビューピクセルが含まれる場合（つまり、６４０×４８０のビュー解像度）、マルチビューディスプレイには３０７，２００個のマルチビューピクセルがあることになる。別の例では、ビューに１００×１００ピクセルが含まれる場合、マルチビューディスプレイは合計１万個（つまり１００×１００＝１０，０００）のマルチビューピクセルがあることになる。
【００１３】
本明細書では、「光ガイド」は、全内部反射を使用して構造内の光をガイドする構造として定義される。特に、光ガイドは、光ガイドの動作波長において実質的に透明なコアを含んでもよい。「光ガイド」という用語は一般に、全内部反射を使用して、光ガイドの誘電体材料とその光ガイドを囲む材料または媒体との間の界面で光をガイドする誘電体光導波路を指す。定義により、全内部反射の条件は、光ガイドの屈折率が、光ガイド材料の表面に隣接する周囲の媒体の屈折率よりも大きいことである。一部の実施形態では、光ガイドは、全内部反射をさらに促進するために、前述の屈折率差に加えて、またはその代わりにコーティングを含んでもよい。コーティングは、例えば反射コーティングであってもよい。光ガイドは、プレートまたはスラブガイドのうちの一方または両方およびストリップガイドを含むいくつかの光ガイドのいずれかであり得るが、これらに限定されない。
【００１４】
さらに本明細書において、「プレート光ガイド」のように光ガイドに適用される場合の「プレート」という用語は、「スラブ」ガイドと呼ばれることもある、区分的または差別的に平面の層またはシートとして定義される。特に、プレート光ガイドは、光ガイドの上面および底面（すなわち、対向面）によって境界を定められた実質的に直交する２方向に光をガイドするように構成された光ガイドとして定義される。さらに、本明細書の定義により、上面および底面は両方とも互いに分離されており、少なくとも差別的な意味で互いに実質的に平行であってもよい。すなわち、プレート光ガイドの異なる小さなセクション内では、上面と底面は実質的に平行または同一平面上にある。
【００１５】
一部の実施形態では、プレート光ガイドは実質的に平坦であり（すなわち、平面に限定されている）、したがって、プレート光ガイドは平面光ガイドである。他の実施形態では、プレート光ガイドは、１つまたは２つの直交する次元で湾曲していてもよい。例えば、プレート光ガイドは、円柱状のプレート光ガイドを形成するために一次元で湾曲していてもよい。しかしながら、いかなる曲率も、光をガイドするために全内部反射がプレート光ガイド内で維持されることを保証するのに十分に大きい曲率半径を有する。
【００１６】
本明細書において、「角度維持散乱特徴部」または同等に「角度維持散乱特徴部」は、散乱光において特徴部または散乱体に入射する光の角度広がりを実質的に維持するように光を散乱するように構成された任意の特徴部または散乱体である。特に、定義により、角度維持散乱特徴部によって散乱される光の角度広がりσｓは、入射光の角度広がりσの関数である（つまり、σｓ＝ｆ（σ））。一部の実施形態では、散乱光の角度広がりσｓは、入射光の角度広がりまたはコリメーション係数σの一次関数である（例えば、σｓ＝ａ・σ、ａは整数）。すなわち、角度維持散乱特徴部によって散乱される光の角度広がりσｓは、入射光の角度広がりまたはコリメーション係数σに実質的に比例する場合がある。例えば、散乱光の角度広がりσｓは、入射光の角度広がりσに実質的に等しくてもよい（例えば、σｓ≒σ）。均一な回折格子（すなわち、実質的に均一または一定の回折特徴部間隔または格子ピッチを有する回折格子）は、角度維持散乱特徴部の例である。
【００１７】
本明細書において、「回折格子」は一般に、回折格子に入射する光の回折を提供するように配置された複数の特徴部（すなわち、回折特徴部）として定義される。一部の例では、複数の特徴部は周期的または準周期的に配置されてもよい。例えば、回折格子は、一次元（１Ｄ）配列に配置された複数の特徴部（例えば、材料表面の複数の溝または隆起）を含み得る。他の例では、回折格子は、特徴部の二次元（２Ｄ）配列であってもよい。回折格子は、例えば、材料表面上の突起または穴の２Ｄ配列であってもよい。
【００１８】
このように、本明細書の定義により、「回折格子」は、回折格子に入射する光の回折を提供する構造である。光が光ガイドから回折格子に入射する場合、提供された回折または回折散乱は、回折格子が回折によって光ガイドからの光を外へ結合する（couple out）という意味で、「回折結合」となり、そう呼ばれることがある。回折格子はまた、回折により（すなわち、回折角で）光の方向を変えたり角度を変えたりする。特に、回折の結果として、回折格子を出る光は一般に、回折格子に入射する光（すなわち、入射光）の伝播方向とは異なる伝播方向を有する。回折による光の伝播方向の変化は、本明細書では「回折方向転換」と呼ばれる。したがって、回折格子は、回折格子に入射する光を回折により方向転換する回折特徴部を含む構造であると理解することができ、光が光ガイドから入射する場合、回折格子はまた、光ガイドからの光を回折により外へ結合し得る。
【００１９】
さらに、本明細書の定義により、回折格子の特徴部は「回折特徴部」と呼ばれ、材料表面のある部分、内部および表面（すなわち、２つの材料間の境界）の１つまたはそれ以上であり得る。表面は、例えば、光ガイドの表面であり得る。回折特徴部は、表面のある部分、内部、または表面上の溝、隆起、穴、および突起のうちの１つまたはそれ以上を含むがこれらに限定されない、光を回折する様々な構造のいずれかを含んでもよい。例えば、回折格子は、材料表面に複数の実質的に平行な溝を含んでもよい。別の例では、回折格子は、材料表面から立ち上がる複数の平行な隆起を含んでもよい。回折特徴部（例えば、溝、隆起、穴、突起など）は、１つまたはそれ以上の正弦波プロファイル、長方形プロファイル（例えば、バイナリ回折格子）、三角形プロファイルおよび鋸歯状プロファイル（例えば、ブレーズド格子）を含むがこれらに限定されない、回折を提供する様々な断面形状またはプロファイルのいずれかを有してもよい。
【００２０】
本明細書で説明される様々な例によれば、回折格子（例えば、以下で説明するマルチビーム要素の回折格子）を使用して、光ガイド（例えば、プレート光ガイド）からの光を光ビームとして回折により散乱または外へ結合することができる。特に、局所周期回折格子の回折角θｍまたは局所周期回折格子によって提供される回折角θｍは、式（１）によって次のように与えられる。
【数１】
0006971324.tif 000002
ここで、λは光の波長、ｍは回折次数、ｎは光ガイドの屈折率、ｄは回折格子の特徴部間の距離または間隔、θｉは回折格子への光の入射角である。簡単にするために、式（１）は、回折格子が光ガイドの表面に隣接し、光ガイドの外側の材料の屈折率が１に等しい（つまり、ｎｏｕｔ＝１）と仮定している。一般に、回折次数ｍは整数で与えられる。回折格子によって生成される光ビームの回折角θｍは、回折次数が正である（例えば、ｍ＞０）式（１）によって与えられてもよい。例えば、回折次数ｍが１に等しい場合（つまり、ｍ＝１）、１次回折が提供される。
【００２１】
図２は、本明細書で説明される原理と一致する実施形態による、一例における回折格子３０の断面図を示す。例えば、回折格子３０は、光ガイド４０の表面に配置されてもよい。加えて、図２は、入射角θｉで回折格子３０に入射する光ビーム５０を示している。光ビーム５０は、光ガイド４０内のガイド光ビームである。また、図２には、入射光ビーム５０の回折の結果として回折格子３０によって回折により生成され外へ結合される指向性光ビーム６０も示されている。指向性光ビーム６０は、式（１）によって与えられるような回折角θｍ（または本明細書では「主角度方向」）を有する。回折角θｍは、例えば、回折格子３０の回折次数「ｍ」に対応してもよい。
【００２２】
本明細書の定義により、「マルチビーム要素」は、複数の光ビームを含む光を生成するバックライトまたはディスプレイの構造または要素である。一部の実施形態では、マルチビーム要素は、バックライトの光ガイドに光学的に結合されて、光ガイド内で光ガイドの一部を外へ結合することにより複数の光ビームを提供し得る。他の実施形態では、マルチビーム要素は、光ビームとして放射される光を生成してもよい（例えば、光源を備えてもよい）。さらに、マルチビーム要素によって生成される複数の光ビームの光ビームは、本明細書の定義により、互いに異なる主角度方向を有する。特に、定義により、複数の光ビームは、複数の光ビームの他の光ビームとは異なる所定の主角度方向を有する。さらに、複数の光ビームは光照射野を表してもよい。例えば、複数の光ビームは、実質的に円錐形の空間領域に限定されるか、複数の光ビーム内の光ビームの異なる主角度方向を含む所定の角度広がりを有してもよい。したがって、組み合わされた光ビーム（すなわち、複数の光ビーム）の所定の角度広がりは、光照射野を表してもよい。
【００２３】
様々な実施形態によれば、複数の様々な光ビームの異なる主角度方向は、マルチビーム要素のサイズ（例えば、長さ、幅、面積など）を含むがこれらに限定されない特性によって決定される。一部の実施形態では、マルチビーム要素は、本明細書の定義により、「拡張点光源」、すなわちマルチビーム要素の範囲全体に分布する複数の点光源と見なされ得る。さらに、マルチビーム要素によって生成される光ビームは、本明細書の定義により、図１Ｂに関して上述したように、角度成分｛θ、φ｝によって与えられる主角度方向を有する。
【００２４】
本明細書では、「コリメータ」は、光をコリメートするように構成された実質的に任意の光学デバイスまたは装置として定義される。様々な実施形態によれば、コリメータによって提供されるコリメーションの量は、一実施形態ごとに所定の程度または量で変化してもよい。さらに、コリメータは、２つの直交する方向（例えば、垂直方向および水平方向）の一方または両方でコリメーションを提供するように構成されてもよい。すなわち、一部の実施形態によれば、コリメータは、光コリメーションを提供する２つの直交方向の一方または両方の形状を含むことができる。
【００２５】
本明細書では、「コリメーション係数」は、光がコリメートされる度合いとして定義される。特に、コリメーション係数は、本明細書の定義により、コリメートされた光ビーム内の光線の角度広がりを定義する。例えば、コリメーション係数σは、コリメート光のビーム内の光線の大部分が特定の角度広がり内にあることを指定する場合がある（例えば、コリメート光ビームの中心または主角度方向を中心として±σ度）。一部の例によれば、コリメート光ビームの光線は角度に関してガウス分布を有してもよく、角度広がりはコリメート光ビームのピーク強度の半分で決定される角度であってもよい。
【００２６】
本明細書において、「光源」は、光源（例えば、光を生成および放射するように構成された光エミッタ）として定義される。例えば、光源は、起動またはオンにされると光を放射する発光ダイオード（ＬＥＤ）などの光エミッタを備えてもよい。特に、本明細書では、光源は、実質的に任意の光源であるか、発光ダイオード（ＬＥＤ）、レーザー、有機発光ダイオード（ＯＬＥＤ）、ポリマー発光ダイオード、プラズマベースの光エミッタ、蛍光灯、白熱灯、および実質的に他の光源のうちの１つまたはそれ以上を含むがこれらに限定されない実質的に任意の発光体を含むことができる。光源によって生成された光は、色を有している場合があり（すなわち、特定の波長の光を含む場合がある）、または、ある範囲の波長（例えば、白色光）にすることもできる。一部の実施形態では、光源は複数の光エミッタを備えてもよい。例えば、光源は光エミッタのセットまたはグループを含んでいてもよく、少なくとも１つの光エミッタは、セットまたはグループの少なくとも１つの他の光エミッタによって生成される光の色または波長とは異なる色または同等には波長を有する光を生成する。異なる色には、例えば原色（例えば、赤、緑、青）が含まれる場合がある。
【００２７】
さらに、本明細書で使用される場合、冠詞「ａ」は、特許技術におけるその通常の意味、すなわち「１つまたはそれ以上」を有することを意図している。例えば、「角度維持散乱特徴部」とは、１つまたはそれ以上の角度維持散乱特徴部を意味し、したがって、「角度維持散乱特徴部」とは、本明細書の「角度維持散乱特徴部」を意味する。また、「上部」、「下部」、「上方」、「下方」、「上」、「下」、「前」、「後」、「第１」、「第２」、「左」または「右」は、本明細書における限定を意図するものではない。本明細書において、「約」という用語は、値に適用される場合、通常、値を生成するために使用される機器の許容範囲内を意味し、特に明記しない限り、プラスまたはマイナス１０％、あるいはプラスまたはマイナス５％、あるいはプラスまたはマイナス１％を意味する場合がある。さらに、本明細書で使用される「実質的に」という用語は、過半数、またはほぼすべて、またはすべて、または約５１％から約１００％の範囲内の量を意味する。さらに、本明細書の例は、例示のみを目的とするものであり、限定目的ではなく、議論の目的で提示されている。
【００２８】
本明細書で説明される原理の一部の実施形態によると、バックライトが提供される。図３Ａは、本明細書で説明される原理と一致する実施形態による、一例におけるバックライト１００の断面図を示す。図３Ｂは、本明細書で説明される原理と一致する実施形態による、一例におけるバックライト１００の平面図を示す。図３Ｃは、本明細書で説明される原理と一致する実施形態による、一例におけるバックライト１００の斜視図を示す。図示されたバックライト１００は、例えばマルチビューディスプレイを含むがこれに限定されない電子ディスプレイのバックライトに使用されてもよい。
【００２９】
図３Ａ〜３Ｃに図示されたバックライト１００は、外へ結合される光（couple-out light）または放射光１０２を提供するように構成される。放射光１０２は、図３Ａに示されるように、バックライト１００の表面から離れるように向けられる。放射光１０２は、電子ディスプレイを照らすために、または照明源として機能するために使用され得る。特に、放射光１０２は、例えば、電子ディスプレイによる情報（例えば、画像）の表示を容易にするために変調され得る。一部の実施形態では、放射光１０２を変調して（例えば、後述する光バルブを使用して）、３Ｄコンテンツを有するまたはマルチビュー画像として表される情報の表示を容易にすることができる。
【００３０】
一部の実施形態では（例えば、マルチビューバックライトに関して以下で説明するように）、放射光１０２は、指向性光ビームの異なるものが互いに異なる主角度方向を有する複数の指向性光ビームを含んでもよい。例えば、複数の光ビームは光照射野を表してもよい。さらに、指向性光ビームは、所定の角度広がりを有する。すなわち、放射光１０２の光ビームの主角度方向は、実質的に所定の範囲内の角度γ内に収まるように制約され得る。例えば、所定の範囲内の角度γ（または同等には角度広がりγ）は、複数の指向性光ビームの中心光ビームに関して定義されてもよい。さらに、一部の実施形態によれば、提供された放射光１０２の複数の指向性光ビームは、マルチビューディスプレイ、例えば、３Ｄまたはマルチビュー画像の表示に使用されるマルチビューディスプレイのそれぞれのビュー方向に対応する異なる主角度方向にバックライト１００から離れるように向けられ得る。したがって、バックライト１００は、以下でさらに説明されるように、マルチビューバックライトであってもよい。
【００３１】
図３Ａ〜３Ｃに示されるように、バックライト１００は光ガイド１１０を含む。一部の実施形態によれば、光ガイド１１０はプレート光ガイドであってもよい。光ガイド１１０は、光をガイド光１０４として光ガイド１１０の長さに沿ってガイドするように構成される。例えば、光ガイド１１０は、光導波路として構成された誘電体材料を含むことができる。光導波路の誘電体材料は、誘電体光導波路を囲む媒質の第２の屈折率よりも大きい第１の屈折率を有してもよい。屈折率の差は、光ガイド１１０の１つまたはそれ以上のガイドモードによってガイド光１０４の全内部反射を促進するように構成される。図３Ａでは、ガイド光１０４の伝播方向１０３が太い矢印で示されている。
【００３２】
一部の実施形態では、光ガイド１１０の誘電体光導波路は、光学的に透明な誘電体材料の延長された実質的に平面のシートを含むスラブまたはプレート光導波路であってもよい。様々な例によれば、光ガイド１１０の光学的に透明な誘電体材料は、１つまたはそれ以上の様々なタイプのガラス（例えば、シリカガラス、アルカリアルミノシリケートガラス、ホウケイ酸ガラスなど）、１つまたはそれ以上の実質的に光学的に透明なプラスチックまたはポリマー（例えば、ポリ（メチルメタクリレート）または「アクリルガラス」、ポリカーボネートなど）またはそれらの組み合わせを含むがこれらに限定されない様々な誘電体材料のいずれかを含むか、またはそれらで構成され得る。一部の実施形態では、光ガイド１１０は、光ガイド１１０の表面（例えば、上面および底面の一方または両方）の少なくとも一部にクラッド層（図示せず）をさらに含むことができる。クラッド層は、一部の例によれば、全内部反射をさらに促進するために使用されてもよい。
【００３３】
一部の実施形態によれば、光ガイド１１０は、光ガイド１１０の第１の表面１１０’（例えば、「前面」表面または側面）と第２の表面１１０’’（例えば、「背面」表面または側面）との間の非ゼロ伝播角度での全内部反射によってガイド光１０４をガイドするように構成される。特に、ガイド光１０４は、光ガイド１１０の第１の表面１１０’と第２の表面１１０’’との間を非ゼロ伝播角度で反射または「バウンス」することにより伝播することができる（ただし、太字の矢印で示される伝播方向１０３）。一部の実施形態では、異なる色の光を含む複数のガイド光ビームは、異なる色固有の非ゼロ伝播角度のそれぞれにおいて光ガイド１１０によってガイドされてもよい。説明を簡単にするために、非ゼロ伝播角度は図３Ａ〜３Ｃには示されていない。
【００３４】
本明細書で定義されるように、「非ゼロ伝播角度」は、光ガイド１１０の表面（例えば、第１の表面１１０’または第２の表面１１０’’）に対する角度である。さらに、様々な実施形態によれば、非ゼロ伝播角度は、ゼロより大きく、かつ光ガイド１１０内の全内部反射の臨界角より小さい。例えば、ガイド光１０４の非ゼロ伝播角度は、約１０度から約５０度の間、または一部の例では、約２０度から約４０度の間、または約２５度から約３５度の間であり得る。例えば、非ゼロ伝播角度は約３０度である。他の例では、非ゼロ伝播角度は約２０度、または約２５度、または約３５度であり得る。さらに、特定の非ゼロ伝播角度が、光ガイド１１０内の全内部反射の臨界角よりも小さくなるように選択される限り、特定の実装に対して特定の非ゼロ伝播角度が（例えば、任意に）選択されてもよい。さらに、様々な実施形態によれば、ガイド光１０４または同等にはガイド光「ビーム」１０４は、コリメート光ビーム（例えば、以下で説明するテーパ付きコリメータによって提供される）であってもよい。本明細書では、「コリメート光」または「コリメート光ビーム」は、一般に、光ビームの光線が光ビーム内の所定のまたは定義された角度広がりに実質的に制限される光ビームとして定義される（例えば、ガイド光１０４）。さらに、本明細書の定義により、コリメート光ビームから広がるまたは散乱される光ビームは、コリメート光ビームの一部とは見なされない。さらに、様々な実施形態において、ガイド光１０４は、コリメーション係数によってコリメートされ得る、またはコリメーション係数を有し得る。
【００３５】
一部の実施形態では、光ガイド１１０は、ガイド光１０４を「リサイクル」するように構成されてもよい。特に、光ガイド長さに沿ってガイドされたガイド光１０４は、伝播方向１０３とは異なる（例えば反対の）別の伝播方向１０３’にその長さに沿って元に戻すことができる。例えば、光ガイド１１０は、光源に隣接する入力端または入射縁部の反対側の光ガイド１１０の端に反射器（図示せず）を含むことができる。反射器は、ガイド光１０４をリサイクルガイド光として入射縁部に向かって反射するように構成することができる。図３Ａでは、リサイクルガイド光の伝播方向１０３’を示す太い矢印（例えば、負のｘ方向に向けられている）は、光ガイド１１０内のリサイクルガイド光の一般的な伝播方向を示している。代替的に（例えば、リサイクルガイド光とは反対に）、（例えば、伝播方向１０３を有するガイド光１０４に加えて）光ガイド１１０に他の伝播方向１０３’の光を導入することにより、他の伝播方向１０３’で伝播するガイド光１０４を提供してもよい。ガイド光１０４をリサイクルするか、他の伝播方向１０３’にガイド光１０４を提供することは、以下に説明する角度維持散乱体によってバックライト１００から例えば２回以上ガイド光を散乱させるようにすることにより、バックライト１００の輝度（例えば、放射光１０２の指向性光ビームの強度）を上げることができる。
【００３６】
種々の実施形態によれば、光ガイド１１０は、角度維持散乱特徴部１１２を有する。角度維持散乱特徴部１１２は、ガイド光１０４の一部を放射光１０２として光ガイド１１０から散乱させるように構成される。一部の実施形態では（例えば、図示のように）、角度維持散乱特徴部１１２は、複数の角度維持散乱体を含む。具体的には、角度維持散乱特徴部１１２の個々の角度維持散乱体は、互いに離間した個別の構造また特徴部であり、各個別の構造は、ガイド光１０４の異なる部分を、角度を維持する方法で散乱または外へ結合するように構成される。様々な実施形態において、角度維持散乱特徴部１１２は、回折格子、反射構造および屈折構造を含むがこれらに限定されない角度維持散乱を提供するまたは生成するように構成される様々な異なる構造または特徴部のいずれか、およびそれらの様々な組み合わせを含むことができる。
【００３７】
さらに、様々な実施形態によれば、放射光１０２の角度広がり、または放射光１０２の指向性光ビームの角度広がりは、角度維持散乱特徴部１１２の特性によって決定される。特に、角度維持散乱特徴部１１２は、所定の範囲内の角度γによって特徴付けられる角度広がりを有する放射光１０２として、ガイド光１０４の一部を光ガイド１１０から散乱させるように構成される。結果として、放射光１０２は、角度維持散乱特徴部１１２による散乱の結果として、所定の範囲内の角度γ内に（または同等には角度広がり内に）実質的に制限され得る。さらに、放射光１０２の角度広がりは、ガイド光１０４のコリメーション係数の関数であり、一部の実施形態ではそれに比例する。例えば、角度広がりの所定の範囲内の角度γ（または同等には「角度広がり」）は、式（２）によって次のように与えられてもよい。
γ＝ｆ（σ）  （２）
ここで、σはガイド光１０４のコリメーション係数であり、ｆ（・）はコリメーション係数σの線形関数などの関数を表すが、これに限定されない。例えば、関数ｆ（・）はγ＝ａ・σとして与えられ、ここでａは整数である。
【００３８】
図３Ａ〜３Ｃに示されるように、バックライト１００は、テーパ付きコリメータ１２０をさらに備える。様々な実施形態によれば（例えば、図示のように）、テーパ付きコリメータ１２０は、光ガイド１１０（例えば、光ガイド１１０の入射面）と光源との間に配置されてもよい。テーパ付きコリメータ１２０は、光源によって提供される光をコリメート光としてコリメートするように構成される。すなわち、テーパ付きコリメータ１２０は、光源から光を受け取り、受け取った光をコリメートしてコリメート光を生成するように構成される。さらに、テーパ付きコリメータ１２０は、ガイド光１０４としてガイドされるようにコリメート光を光ガイド１１０に伝達または伝送するように構成される。
【００３９】
様々な実施形態において、コリメート光は、コリメーション係数σを有するか、コリメーション係数σによってコリメートされる。コリメーション係数σは、ガイド光１０４の所定の角度広がりを提供するように構成される。さらに、様々な実施形態によれば、コリメーション係数σは、テーパ付きコリメータ１２０（例えば、以下で説明する側壁テーパ）のテーパの関数である。特に、テーパの角度および形状の一方または両方がコリメーション係数σを決定する。一部の実施形態では、テーパ付きコリメータ１２０によって提供されるコリメート光は、光ガイド１１０の（例えば、入射面における）空間的および角度的に実質的に均一な照明を促進または提供することができる。
【００４０】
図３Ａ〜３Ｃに示されているテーパ付きコリメータ１２０は、テーパ付きコリメータ１２０の入力端１２２がテーパ付きコリメータ１２０の出力端１２４よりも概して狭いように側壁テーパを有する光ガイドを含む。特に、テーパ付きコリメータ１２０の幅寸法は、側壁テーパの結果として、入力端１２２から出力端１２４まで増加するか「テーパ」する。ここで、「幅寸法」または単に「幅」は、光ガイド１１０の幅に対応する方向の寸法として定義される。次に、光ガイドの「幅」は、図３Ａ〜３Ｃに示すように、ガイド光１０４の一般的な伝播方向に実質的に直交する平面内にあるｙ軸に沿った、またはｙ軸に対応する寸法として定義される。また、光ガイド１１０の幅は、光ガイド１１０の高さまたは厚さ、例えば図３Ａ〜３Ｃに示されるｚ軸に沿ったまたはそれに対応する寸法に実質的に垂直である。
【００４１】
様々な実施形態によれば、テーパ付きコリメータ１２０の入力端１２２は、図示されているように、光源、例えば光源１３０からの光に隣接しており、かつこれを受け取るように構成されている。光源は、例えば、実質的にコリメートされていない光を提供するように構成されてもよい。テーパ付きコリメータ１２０の出力端１２４は、コリメート光に隣接しており、これをバックライト１００の光ガイド１１０に提供するように構成されている。示されるように、テーパ付きコリメータ１２０からのコリメート光は、光ガイド１１０の入力または入射縁部１１０ａにおいて提供される。
【００４２】
さらに、一部の実施形態によれば、テーパ付きコリメータ１２０の光ガイド１１０の側壁テーパは、上述のように、光をコリメートするだけでなく、コリメート光による光ガイド１１０の空間的および角度的に均一な照明も提供するように構成され得る。特に、空間的および角度的に均一な照明は、入射縁部１１０ａに隣接するテーパ付きコリメータ１２０の出力端１２４の幅または範囲に対応する光ガイド１１０の部分に提供され得る。
【００４３】
一部の実施形態では（例えば、図３Ａ〜３Ｃに示すように）、バックライト１００のテーパ付きコリメータ１２０は、複数のテーパ付きコリメータセグメント１２０’、例えば複数の別個のテーパ付きコリメータ１２０を備えてもよい。例えば、テーパ付きコリメータ１２０の複数のテーパ付きコリメータセグメント１２０’は、図示のように、光ガイド１１０の幅に沿って入射縁部１１０ａに配置することができる。さらに、テーパ付きコリメーションセグメント１２０’は、光ガイド幅に対応する光ガイドの平面に幅または側壁テーパを有することができ、側壁テーパは、テーパ付きコリメーションセグメント１２０’の光源隣接端（入力端１２２）から光ガイド１１０に隣接する対向端（出力端１２４）までの距離の関数として、テーパ付きコリメーションセグメント１２０’の幅の増加を提供する。テーパ付きコリメータ１２０の各テーパ付きコリメータセグメント１２０’は、個々のテーパ付きコリメータセグメント１２０’にそれぞれ対応する光ガイド１１０の入射縁部１１０ａの一部に空間的および角度的に実質的に均一な照明を提供するように構成され得る。さらに、一部の実施形態では、テーパ付きコリメータ１２０のテーパ付きコリメータセグメント１２０’を互いに直接隣接して配置して、入射縁部１１０ａにおいてまたはそれに沿って光ガイド１１０の全幅に空間的および角度的に実質的に均一な照明を提供することができる。
【００４４】
一部の実施形態では、テーパ付きコリメータ１２０は、入力端１２２に、またはそれに隣接して表面構造または表面微細構造をさらに備えてもよい。一部の実施形態では、表面構造は、テーパ付きコリメータ１２０の入力端１２２への光の結合を促進するか、光ガイド１１０の空間的および角度的に実質的に均一な照明を提供するか少なくとも（例えば、テーパ付きコリメータ１２０のテーパとともに）これに貢献するように構成されるかの一方または両方である。例えば、表面構造は、（例えば、光源から）入力端１２２に入る光の発散が増大するように構成されてもよい。同様に、光の発散が増大すると、光と側壁テーパとの間の相互作用が増大する可能性がある。特に、増大した発散は、幅寸法に対応する平面内に実質的にあり得る。一部の例では、結果として生じる側壁との光相互作用の増大により、テーパ付きコリメータ１２０の長さを表面構造なしの場合よりも短くすることができる場合がある。様々な実施形態において、表面構造は、テーパ付きコリメータ１２０の材料を含む（例えば、入力端１２２に形成される）か、表面構造を提供するように構成されるフィルムまたは層を入力端１２２に含むことができる。プリズム表面構造（すなわち、プリズム構造の配列）、小型レンズの配列（例えば、正または凸の小型レンズ、負または凹の小型レンズなど）および回折格子を含むがこれらに限定されない、様々な表面構造のいずれかを使用することができる。
【００４５】
図４Ａは、本明細書で説明される原理と一致する実施形態による、一例におけるテーパ付きコリメータ１２０の平面図を示す。図示されるように、テーパ付きコリメータ１２０は、光エミッタ１３２（例えば、発光ダイオード）を有する光源１３０に隣接する入力端１２２を含む。図４Ａのテーパ付きコリメータ１２０は、光ガイド１１０の入射縁部１１０ａに隣接する出力端１２４も有する。テーパ付きコリメータ１２０は、テーパ付きコリメータの幅（すなわち、ｙ方向）を入力端１２２から出力端１２４まで増加させる側壁テーパを含む。入力端１２２にあり、光源１３０に隣接する表面構造１２６も示されている。
【００４６】
図４Ｂは、本明細書で説明される原理と一致する実施形態による、一例におけるテーパ付きコリメータ１２０の一部の平面図を示す。特に、図４Ｂは、プリズム配列（すなわち、プリズム表面構造）を含む表面構造１２６の例を示す。表面構造１２６のプリズム配列は、テーパ付きコリメータ１２０に入る光の発散を提供するように構成され得る。例えば、図４Ｂに示すプリズム表面構造１２６のプリズムまたはファセット角は、光の発散を提供するために約１０度（１０°）から約３０度（３０°）の間であり得る。
【００４７】
図４Ｃは、本明細書で説明される原理と一致する実施形態による、別の例におけるテーパ付きコリメータの一部の平面図を示す。特に、図４Ｃは、小型レンズ（例えば、正の小型レンズ）の配列を含む表面構造１２６を示す。図４Ｂおよび４Ｃの両方において、表面構造１２６は、テーパ付きコリメータ１２０の材料を含むか、コリメータ１２０への入力端にまたはそれに隣接する（例えば適用される）層またはフィルムを含むことができる。
【００４８】
一部の実施形態によれば、テーパ付きコリメータ１２０は、側壁テーパに対応する幅寸法に実質的に垂直な厚さまたは高さ寸法がさらにテーパ付けされてもよい。したがって、テーパ付きコリメータ１２０は、厚さテーパをさらに備えてもよい。例えば、テーパ付きコリメータ１２０または同等のテーパ付きコリメーションセグメント１２０’は、側壁テーパに直交する方向の厚さテーパを備えてもよく、厚さテーパは、テーパ付きコリメーションセグメント１２０’の光源隣接端（入力端１２２）から光ガイド隣接端（出力端１２４）までの距離の関数として、テーパ付きコリメータ１２０またはテーパ付きコリメーションセグメント１２０’の厚さの変化を提供する。
【００４９】
一部の実施形態によれば（例えば、図５に示されるように）、厚さテーパは、テーパ付きコリメータ１２０の入力端１２２から出力端１２４までの距離の関数として概して減少するテーパ付きコリメータ光ガイドの高さまたは厚さによって特徴付けられる。他の実施形態（図示せず）では、厚さテーパは、入力端１２２から出力端１２４までの距離の関数として概して増加する高さまたは厚さによって特徴付けられる。様々な実施形態によれば、厚さテーパおよび表面構造１２６（存在する場合）は、光源１３０の発光体の位置合わせ公差を改善するように構成されるか、長手方向またはｘ方向の光運動量を修正するように構成されるかの一方または両方である。
【００５０】
例えば、距離の関数として減少する厚さテーパは、光源１３０からの光をテーパ付きコリメータ１２０の出力端１２４にわたってより均一に広げることを促進し得る。特に、減少する厚さテーパは、通過する光の高さまたは垂直方向（例えば、ｚ方向）の角度広がりまたはコリメーション係数を増加させる可能性がある。一方、距離の関数として増加する厚さテーパを使用して、垂直方向の角度広がりまたはコリメーション係数を減少させる、すなわち、より良い垂直コリメーションを提供することができる。同様に、表面構造１２６の特性を使用して、コリメーション係数を調整し、位置合わせ公差を改善し、テーパ付きコリメータ１２０の傾斜表面との相互作用を増加または減少させる、などができる。
【００５１】
図５は、本明細書で説明される原理と一致する実施形態による、一例におけるテーパ付きコリメータ１２０の断面図を示す。同様に、図５に示されているテーパ付きコリメータ１２０は、テーパ付きコリメータセグメント、例えばテーパ付きコリメータセグメント１２０’の断面図を表してもよい。図５に示されるように、テーパ付きコリメータ１２０は、光源隣接端（入力端１２２）から光ガイド隣接端（出力端１２４）までの距離の関数として減少する厚さテーパを有する、すなわちこれは垂直軸またはｚ軸に対応して寸法が減少する。図５に示されているテーパ付きコリメータ１２０は、限定ではなく例として、表面構造１２６も含む。特に、図５に示された表面構造１２６は、ｙ軸に平行に配列されたプリズム配列を含む。
【００５２】
表面構造１２６は、図５に示す厚さテーパの有無にかかわらず使用できることに留意されたい。図５は、テーパ付きコリメータ１２０の光源隣接端または入力端１２２に位置し、光ガイド隣接端または出力端１２４の反対側に位置する光エミッタ１３２（例えば、発光ダイオード）を有する光源１３０をさらに示す。入射縁部１１０ａを含む光ガイド１１０の一部も図５に示されている。
【００５３】
一部の実施形態では、側壁テーパおよび厚さテーパの一方または両方のテーパは、実質的に直線または線形のテーパであり得る、すなわち、テーパは、距離の線形関数として変化するか、または線形関数であり得る。他の例では、側壁テーパおよび厚さテーパの一方または両方は、湾曲していても湾曲形状を含んでいてもよい。例えば、側壁テーパは、放物曲線または成形放物曲線によって特徴付けられるが、これらに限定されない湾曲形状を有してもよい。説明を簡単にするために、図４Ａ〜４Ｃおよび図５は、限定ではなく例として線形テーパを示す。
【００５４】
再び図３Ａ〜３Ｃを参照すると、一部の実施形態によれば、バックライト１００の光ガイド１１０の角度維持散乱特徴部１１２は、マルチビーム要素を備えてもよい。特に、図３Ａ〜３Ｃに示される角度維持散乱特徴部１１２は、複数のマルチビーム要素を備えてもよい。以下でさらに詳細に説明するように、マルチビーム要素を含む角度維持散乱特徴部１１２を有する光ガイド１１０を備えたバックライト１００は、「マルチビーム」バックライトと呼ばれることがある。
【００５５】
図６Ａは、本明細書で説明される原理と一致する実施形態による、一例におけるマルチビューバックライト１００’の断面図を示す。図６Ｂは、本明細書で説明される原理に一致する実施形態による、一例におけるマルチビューバックライト１００’の平面図を示す。図６Ｃは、本明細書で説明される原理と一致する実施形態による、一例におけるマルチビューバックライト１００’の斜視図を示す。図示のように、マルチビューバックライト１００’は、角度維持散乱特徴部１１２を有する光ガイド１１０とテーパ付きコリメータ１２０（図６Ｂには図示せず）とを含む。さらに、図６Ａ〜図６Ｃに示される角度維持散乱特徴部１１２は、複数のマルチビーム要素１１２’を備える。
【００５６】
様々な実施形態によれば、複数のマルチビーム要素のマルチビーム要素１１２’は、光ガイド１１０の長さに沿って互いに離間して配置することができる。特に、マルチビーム要素１１２’は、有限の空間によって互いに離間し、光ガイド長さに沿った個々の別個の要素を表し得る。さらに、一部の実施形態によれば、マルチビーム要素１１２’は一般に、互いに交差したり、重なり合ったり、他の方法で互いに接触したりしない。すなわち、複数のマルチビーム要素の各マルチビーム要素１１２’は、一般的に別個であり、他のマルチビーム要素１１２’から分離されている。
【００５７】
一部の実施形態によれば、角度維持散乱特徴部１１２の複数のマルチビーム要素１１２’は、一次元（１Ｄ）配列または二次元（２Ｄ）配列のいずれかに配置されてもよい。例えば、複数のマルチビーム要素１１２’は、線形１Ｄ配列として配置されてもよい。別の例では、複数のマルチビーム要素１１２’は、長方形の２Ｄ配列または円形の２Ｄ配列として配置されてもよい。さらに、配列（すなわち、１Ｄまたは２Ｄ配列）は、一部の例では、規則的な配列または均一な配列であり得る。特に、マルチビーム要素１１２’間の要素間距離（例えば、中心間距離または間隔）は、配列にわたって実質的に均一または一定であり得る。他の例では、マルチビーム要素１１２’間の要素間距離は、配列全体でおよび光ガイド１１０の長さに沿っての一方または両方で変化させることができる。
【００５８】
様々な実施形態によれば、複数のマルチビーム要素１１２’は、ガイド光１０４の一部を放射光１０２として外へ結合するように構成される。さらに、放射光１０２は、複数の指向性光ビーム１０２’を含む。図６Ａおよび６Ｃでは、指向性光ビーム１０２’は、光ガイド１１０の第１（または前面）表面１１０’からの方向を向くように描かれた複数の発散矢印として示されている。様々な実施形態によれば、指向性光ビーム１０２’は、互いに異なる主角度方向を有する。さらに、様々な実施形態によれば、指向性光ビーム１０２’の異なる主角度方向は、マルチビューピクセルを含むマルチビューディスプレイのそれぞれの異なるビュー方向に対応する。
【００５９】
加えて、一部の実施形態によれば、マルチビーム要素１１２’のサイズは、マルチビューディスプレイのマルチビューピクセル１０６内のビューピクセル１０６’のサイズと同等であり得る。本明細書では、「サイズ」は、長さ、幅、または面積を含むがこれらに限定されない様々な方法のいずれかで定義されてもよい。例えば、ビューピクセル１０６’のサイズはその長さであり得、マルチビーム要素１１２’の同等のサイズもまた、マルチビーム要素１１２’の長さであり得る。別の例では、サイズは、マルチビーム要素１１２’の面積がビューピクセル１０６’の面積と同等であるような面積を指し得る。
【００６０】
一部の実施形態では、マルチビーム要素１１２’のサイズは、マルチビーム要素サイズがビューピクセルサイズの約５０パーセント（５０％）〜約２００パーセント（２００％）であるようにビューピクセルサイズと同等である。他の例では、マルチビーム要素のサイズは、ビューピクセルサイズの約６０パーセント（６０％）超であるか、ビューピクセルサイズの約７０パーセント（７０％）であるか、またはビューピクセルサイズの約８０パーセント（８０％）超であるか、またはビューピクセルサイズの約９０％（９０％）超であるか、マルチビーム要素１１２’はビューピクセルサイズの約１８０パーセント（１８０％）未満、またはビューピクセルサイズの約１６０パーセント（１６０％）未満、またはビューピクセルサイズの約１４０パーセント（１４０％）未満、またはビューピクセルサイズの約１２０パーセント（１２０％）未満である。例えば、「同等のサイズ」では、マルチビーム要素のサイズは、ビューピクセルサイズの約７５パーセント（７５％）から約１５０パーセント（１５０％）になる。別の例では、マルチビーム要素１１２’は、マルチビーム要素のサイズがビューピクセルサイズの約１２５パーセント（１２５％）から約８５パーセント（８５％）の間である場合、ビューピクセル１０６’と同等のサイズであり得る。一部の実施形態によれば、マルチビーム要素１１２’およびビューピクセル１０６’の同等のサイズは、マルチビューディスプレイのビュー間の暗いゾーンを低減するか、または一部の例では最小化するために選択することができると同時に、マルチビューディスプレイのビュー間のオーバーラップを低減するか、または一部の例では最小化する。図６Ａ〜６Ｃは、議論を容易にするために、マルチビューバックライト１００とともにマルチビューピクセル１０６も示している。図６Ａ〜６Ｂでは、マルチビーム要素のサイズは「ｓ」で示され、ビューピクセルサイズは「Ｓ」で示されている。
【００６１】
図６Ａ〜６Ｃは、放射光１０２内の複数の指向性光ビームの指向性光ビーム１０２’を変調するように構成された光バルブ１０８の配列をさらに示す。光バルブ配列は、例えばマルチビューバックライトを使用するマルチビューディスプレイの一部であってもよく、本明細書での議論を容易にする目的でマルチビューバックライト１００’とともに図６Ａ〜６Ｃに示されている。図６Ｃにおいて、光バルブ１０８の配列は、光ガイド１１０および光バルブ配列の下にあるマルチビーム要素１１２’の視覚化を可能にするために部分的に切り取られている。様々な実施形態では、液晶光バルブ、電気泳動光バルブ、およびエレクトロウェッティングに基づく光バルブのうちの１つまたはそれ以上を含むがこれらに限定されない、光バルブ配列の光バルブ１０８として異なるタイプの光バルブを使用することができる。
【００６２】
図６Ａ〜６Ｃに示されるように、指向性光ビーム１０２’の異なるそれぞれは、光バルブ配列内の光バルブ１０８の異なるそれぞれを通過し、それらによって変調され得る。さらに、図示のように、配列の光バルブ１０８はビューピクセル１０６’に対応し、光バルブ１０８のセットはマルチビューディスプレイのマルチビューピクセル１０６に対応する。特に、光バルブ配列の光バルブ１０８の異なるセットは、マルチビーム要素１１２’の異なるそれぞれからの指向性光ビーム１０２’を受信および変調するように構成される。すなわち、図示のように、マルチビーム要素１１２’のそれぞれに一意の１セットの光バルブ１０８が存在する。
【００６３】
図６Ａに示されるように、第１の光バルブセット１０８ａは、第１のマルチビーム要素１１２’ａからの指向性光ビーム１０２’を受信および変調するように構成され、第２の光バルブセット１０８ｂは、第２のマルチビーム要素１１２’ｂからの指向性光ビーム１０２’を受信および変調するように構成される。したがって、図６Ａに示されるように、光バルブ配列の各光バルブセット（例えば、第１および第２の光バルブセット１０８ａ、１０８ｂ）は、それぞれ異なるマルチビューピクセル１０６に対応し、光バルブセットの個々の光バルブ１０８は、それぞれのマルチビューピクセル１０６のビューピクセル１０６’に対応している。
【００６４】
図示されるように、ビューピクセル１０６’のサイズは、光バルブ配列内の光バルブ１０８のサイズに対応し得ることに留意されたい。他の例では、ビューピクセルサイズは、光バルブ配列の隣接する光バルブ１０８間の距離（例えば、中心間距離）として定義されてもよい。例えば、光バルブ１０８は、光バルブ配列内の光バルブ１０８間の中心間距離より小さくてもよい。ビューピクセルサイズは、例えば、光バルブ１０８のサイズ、または光バルブ１０８間の中心間距離に対応するサイズのいずれかとして定義され得る。
【００６５】
一部の実施形態では、複数のマルチビーム要素１１２’と対応するマルチビューピクセル１０６（例えば、光バルブ１０８のセット）との間の関係は、１対１の関係であってもよい。すなわち、同数のマルチビューピクセル１０６およびマルチビーム要素１１２’が存在し得る。図６Ｂは、例として、光バルブ１０８の異なるセットを含む各マルチビューピクセル１０６が破線で囲まれるように示されている１対１の関係を明示的に示している。他の実施形態（図示せず）では、マルチビューピクセル１０６およびマルチビーム要素１１２’の数は互いに異なっていてもよい。
【００６６】
一部の実施形態では、複数の隣接する一対のマルチビーム要素１１２’間の要素間距離（例えば、中心間距離）は、例えば、光バルブセットによって表される、対応する一対の隣接マルチビューピクセル１０６間のピクセル間距離（例えば、中心間距離）に等しくてもよい。例えば、図６Ａに示されるように、第１のマルチビーム要素１１２’ａと第２のマルチビーム要素１１２’ｂとの間の中心間距離ｄは、第１の光バルブセット１０８ａと第２の光バルブセット１０８ｂとの間の中心間距離Ｄに実質的に等しい。他の実施形態（図示せず）では、マルチビーム要素１１２’の対および対応する光バルブセットの相対的な中心間距離は異なり得る。例えば、マルチビーム要素１１２’は、マルチビューピクセル１０６を表す光バルブセット間の間隔（すなわち、中心間距離Ｄ）よりも大きいか小さい要素間間隔（すなわち、中心間距離ｄ）を有してもよい。
【００６７】
一部の実施形態では、マルチビーム要素１１２’の形状は、マルチビューピクセル１０６、または同等には、マルチビューピクセル１０６に対応する光バルブ１０８のセット（または「サブ配列」）の形状に類似している。例えば、マルチビーム要素１１２’は正方形の形状を有してもよく、マルチビューピクセル１０６（または対応する光バルブ１０８のセットの配置）は実質的に正方形であってもよい。別の例では、マルチビーム要素１１２’は長方形の形状を有してもよく、すなわち、幅または横断寸法よりも大きい長さまたは長手寸法を有してもよい。この例では、マルチビーム要素１１２’に対応するマルチビューピクセル１０６（または同等には光バルブ１０８のセットの配置）は、類似の長方形の形状を有してもよい。図６Ｂは、正方形のマルチビーム要素１１２’の上面図または平面図と、光バルブ１０８の正方形のセットを含む対応する正方形のマルチビューピクセル１０６とを示している。さらに他の例（図示せず）では、マルチビーム要素１１２’および対応するマルチビューピクセル１０６は、三角形、六角形、および円形を含むがこれらに限定されない様々な形状を有するか、少なくともそれらに近い。
【００６８】
さらに（例えば、図６Ａに示されるように）、一部の実施形態によれば、各マルチビーム要素１１２’は、ただ１つのマルチビューピクセル１０６に指向性光ビーム１０２’を提供するように構成される。図６Ａに示されるように、特に、マルチビーム要素１１２’の所与の１つについて、マルチビューディスプレイの異なるビューに対応する異なる主角度方向を有する指向性光ビーム１０２’は、単一の対応するマルチビューピクセル１０６およびそのビューピクセル１０６’、すなわち、マルチビーム要素１１２’に対応する単一セットの光バルブ１０８に実質的に限定される。したがって、マルチビューバックライト１００の各マルチビーム要素１１２’は、マルチビューディスプレイの異なるビューに対応する異なる主角度方向のセットを有する指向性光ビーム１０２’の対応するセットを提供する（すなわち、指向性光ビーム１０２’のセットは、異なるビュー方向のそれぞれに対応する方向を有する光ビームを含む）。
【００６９】
様々な実施形態によれば、マルチビーム要素１１２’は、ガイド光１０４の一部を外へ結合するように構成されたいくつかの異なる構造のいずれかを備えてもよい。例えば、異なる構造は、回折格子、微小反射要素、微小屈折要素、またはそれらの様々な組み合わせを含み得るが、これらに限定されない。一部の実施形態では、回折格子を含むマルチビーム要素１１２’は、異なる主角度方向を有する複数の指向性光ビーム１０２’としてガイド光部分を回折により外へ結合するように構成される。他の実施形態では、微小反射要素を含むマルチビーム要素１１２’は、複数の指向性光ビーム１０２’としてガイド光部分を反射により外へ結合するように構成されるか、または微小屈折要素を含むマルチビーム要素１１２’は、屈折により、または屈折を使用して、複数の指向性光ビーム１０２’としてガイド光部分を外へ結合する（すなわち、ガイド光部分を屈折的に外へ結合する）ように構成される。
【００７０】
図７Ａは、本明細書で説明される原理と一致する実施形態による、一例におけるマルチビーム要素１１２’を含むマルチビューバックライト１００’の一部の断面図を示す。図７Ｂは、本明細書で説明される原理と一致する別の実施形態による、一例におけるマルチビーム要素１１２’を含むマルチビューバックライト１００’の一部の断面図を示す。特に、図７Ａ〜７Ｂは、回折格子１１４を備えるマルチビューバックライト１００’のマルチビーム要素１１２’を示している。回折格子１１４は、放射光１０２の複数の指向性光ビーム１０２’として、ガイド光１０４の一部を回折により外へ結合するように構成される。回折格子１１４は、ガイド光部分から外への回折結合（diffractive coupling-out）を提供するように構成された回折特徴部間隔あるいは回折特徴部または格子ピッチによって互いに離間した複数の回折特徴部を備える。様々な実施形態によれば、回折格子１１４内の回折特徴部の間隔または格子ピッチは、サブ波長（すなわち、ガイド光の波長未満）であり得る。
【００７１】
一部の実施形態では、マルチビーム要素１１２’の回折格子１１４は、光ガイド１１０の表面に、またはそれに隣接して配置されてもよい。例えば、図７Ａに示されるように、回折格子１１４は、光ガイド１１０の第１の表面１１０’にあるか、それに隣接していてもよい。光ガイドの第１の表面１１０’における回折格子１１４は、ガイド光部分を指向性光ビーム１０２’として第１の表面１１０’を通して回折により外へ結合するように構成された透過モード回折格子であってもよい。別の例では、図７Ｂに示されるように、回折格子１１４は、光ガイド１１０の第２の表面１１０’’に、またはそれに隣接して配置されてもよい。第２の表面１１０’’に位置する場合、回折格子１１４は反射モード回折格子であり得る。反射モード回折格子として、回折格子１１４は、ガイド光部分を回折し、回折ガイド光部分を第１の表面１１０’に向けて反射させ、回折指向性光ビーム１０２’として第１の表面１１０’から出すように構成される。他の実施形態（図示せず）では、回折格子は、例えば、透過モード回折格子および反射モード回折格子の一方または両方として、光ガイド１１０の表面間に配置されてもよい。本明細書で説明する一部の実施形態では、指向性光ビーム１０２’の主角度方向は、光ガイド表面で光ガイド１１０を出る指向性光ビーム１０２’による屈折の効果を含むことに留意されたい。例えば、図７Ｂは、限定ではなく例として、指向性光ビーム１０２’が第１の表面１１０’を横切るときの屈折率の変化による指向性光ビーム１０２’の屈折（すなわち、曲げ）を示す。下記の図８Ａおよび８Ｂも参照されたい。
【００７２】
一部の実施形態によれば、回折格子１１４の回折特徴部は、互いに離間した溝および隆起の一方または両方を備えてもよい。溝または隆起は、光ガイド１１０の材料を含んでもよく、例えば、光ガイド１１０の表面に形成されてもよい。別の例では、溝または隆起は、光ガイド材料以外の材料、例えば、光ガイド１１０の表面上の別の材料のフィルムまたは層から形成されてもよい。
【００７３】
一部の実施形態では、マルチビーム要素１１２’の回折格子１１４は、回折特徴部間隔が回折格子１１４全体にわたって実質的に一定または不変である均一な回折格子である。他の実施形態では、回折格子１１４はチャープ回折格子である。定義により、「チャープ」回折格子は、チャープ回折格子の範囲または長さにわたって変化する回折特徴部の回折間隔（すなわち、格子ピッチ）を示す、または有する回折格子である。一部の実施形態では、チャープ回折格子は、距離とともに直線的に変化する回折特徴部間隔のチャープを有するか、または示すことがある。したがって、チャープ回折格子は、定義により「線形チャープ」回折格子である。他の実施形態では、マルチビーム要素１１２’のチャープ回折格子は、回折特徴部間隔の非線形チャープを示してもよい。指数チャープ、対数チャープ、または別の、実質的に不均一またはランダムであるが依然として単調な方法で変化するチャープを含むが、これらに限定されない様々な非線形チャープを使用することができる。正弦波チャープあるいは三角形または鋸歯状チャープなどの非単調チャープも使用できるが、これらに限定されない。これらのタイプのチャープのいずれかの組み合わせも使用できる。
【００７４】
図８Ａは、本明細書で説明される原理と一致する別の実施形態による、一例におけるマルチビーム要素１１２’を含むマルチビューバックライト１００’の一部の断面図を示す。図８Ｂは、本明細書で説明される原理と一致する別の実施形態による、一例におけるマルチビーム要素１１２’を含むマルチビューバックライト１００’の一部の断面図を示す。特に、図８Ａおよび８Ｂは、微小反射要素を含むマルチビーム要素１１２’の様々な実施形態を示している。マルチビーム要素１１２’として、またはマルチビーム要素１１２’で使用される微小反射要素は、反射材料またはその層（例えば、反射金属）を使用する反射器、または全内部反射（ＴＩＲ）に基づく反射器を含み得るが、これらに限定されない。一部の実施形態によれば（例えば、図８Ａ〜８Ｂに示されるように）、微小反射要素を含むマルチビーム要素１１２’は、光ガイド１１０の表面（例えば、第２の表面１１０’’）に、またはそれに隣接して位置し得る。他の実施形態（図示せず）では、微小反射要素は、光ガイド１１０内で第１の表面１１０’と第２の表面１１０’’との間に配置されてもよい。
【００７５】
例えば、図８Ａは、光ガイド１１０の第２の表面１１０’’に隣接して配置された反射ファセット（例えば「プリズム」微小反射要素）を有する微小反射要素１１６を含むマルチビーム要素１１２’を示している。図示されたプリズム微小反射要素１１６のファセットは、光ガイド１１０の外へガイド光１０４の一部を反射する（すなわち、外へ反射により結合する）ように構成される。ファセットは、例えば、ガイド光１０４の伝播方向に対して傾斜して（すなわち、傾斜角を有して）、ガイド光部分を光ガイド１１０から反射させることができる。様々な実施形態によると、ファセットは、（例えば、図８Ａに示されるように）光ガイド１１０内の反射材料を使用して形成されてもよく、または第２の表面１１０’’のプリズム空洞の表面であってもよい。一部の実施形態では、プリズム空洞が使用される場合、空洞表面での屈折率変化が反射（ＴＩＲ反射など）を提供するか、ファセットを形成する空洞表面が反射材料でコーティングされて反射を提供する。
【００７６】
別の例では、図８Ｂは、半球形微小反射要素１１６などの、しかしそれに限定されない、実質的に滑らかな曲面を有する微小反射要素１１６を含むマルチビーム要素１１２’を示している。微小反射要素１１６の特定の曲面は、例えば、ガイド光１０４が接触する曲面上の入射点に応じて異なる方向にガイド光部分を反射するように構成されてもよい。図８Ａおよび８Ｂに示されるように、限定ではなく例として、光ガイド１１０から反射により外へ結合されるガイド光部分は、第１の表面１１０’から出るか、または放射される。図８Ｂに限定ではなく例として示されるように、図８Ａのプリズム微小反射要素１１６と同様に、図８Ｂの微小反射要素１１６は、光ガイド１１０内の反射材料または第２の表面１１０’’に形成された空洞（例えば、半円形空洞）のいずれかであり得る。図８Ａおよび８Ｂは、限定ではなく例として、２つの伝播方向１０３、１０３’（すなわち、太線矢印として示されている）を有するガイド光１０４も示している。２つの伝播方向１０３、１０３’を使用することにより、例えば、放射光１０２の複数の指向性光ビーム１０２’に対称的な主角度方向を提供することが容易になる場合がある。
【００７７】
図９は、本明細書で説明される原理と一致する別の実施形態による、一例におけるマルチビーム要素１１２’を含むマルチビューバックライト１００’の一部の断面図を示す。特に、図９は、微小屈折要素１１８を含むマルチビーム要素１１２’を示している。様々な実施形態によれば、微小屈折要素１１８は、光ガイド１１０からのガイド光１０４の一部を屈折的に外へ結合するように構成される。すなわち、図９に示されるように、微小屈折要素１１８は、（例えば、回折または反射とは対照的に）屈折を用いて、放射光１０２の指向性光ビーム１０２’として光ガイド１１０からガイド光部分を外へ結合するように構成される。微小屈折要素１１８は、半球形状、長方形形状、またはプリズム形状（すなわち、傾斜したファセットを有する形状）を含むがこれらに限定されない様々な形状を有してもよい。様々な実施形態によれば、微小屈折要素１１８は、図示されるように、光ガイド１１０の表面（例えば、第１の表面１１０’）から延在または突出してもよく、または表面の空洞（図示せず）であってもよい。さらに、一部の実施形態では、微小屈折要素１１８は、光ガイド１１０の材料を含んでもよい。他の実施形態では、微小屈折要素１１８は、光ガイド表面に隣接し、かつ一部の例では光ガイド表面と接触する別の材料を含むことができる。
【００７８】
再び図３Ａ〜３Ｃおよび図６Ａ〜６Ｃを参照すると、バックライト１００およびマルチビューバックライト１００’は、光源１３０をさらに備えることができる。様々な実施形態によれば、光源１３０は、テーパ付きコリメータ１２０に光を提供するように構成される。特に、光源１３０は、テーパ付きコリメータ１２０の入力端１２２に隣接して配置されてもよい。一部の実施形態では、光源１３０は、複数の光エミッタ１３２を備えてもよい。例えば、テーパ付きコリメータ１２０が複数のテーパ付きコリメータセグメント１２０’を含む場合、複数の光エミッタの光エミッタ１３２は、テーパ付きコリメータセグメント１２０’の各々の入力端１２２に対応するか、またはそこに位置してもよい。したがって、各テーパ付きコリメータセグメント１２０’は、例えば図示のように、光源１３０の異なる光エミッタ１３２から光を受け取ることができる。
【００７９】
様々な実施形態において、光源１３０は、１つまたはそれ以上の発光ダイオード（ＬＥＤ）またはレーザー（例えば、レーザーダイオード）を含むがこれらに限定されない実質的に任意の光源（例えば、光エミッタ）を備えてもよい。一部の実施形態では、光源１３０は、特定の色で示される狭帯域スペクトルを有する実質的に単色の光を生成するように構成された光エミッタを備えてもよい。特に、単色光の色は、特定の色空間または色モデル（例えば、赤緑青（ＲＧＢ）色モデル）の原色であってもよい。他の例では、光源１３０は、実質的に広帯域または多色の光を提供するように構成された実質的に広帯域の光源であり得る。例えば、光源１３０は白色光を提供し得る。一部の実施形態では、光源１３０は、異なる色の光を提供するように構成された複数の異なる光エミッタを備えてもよい。異なる光エミッタは、光の異なる色のそれぞれに対応するガイド光の異なる色固有の非ゼロ伝播角度を有する光を提供するように構成されてもよい。
【００８０】
一部の実施形態では、バックライト１００は、ガイド光１０４の伝播方向１０３、１０３’に直交する光ガイド１１０を通る方向の光に対して実質的に透明になるように構成される。例えば、光は、透明性のために、第２の表面１１０’’から第１の表面１１０’まで、またはその逆に、光ガイド１１０の厚さまたは高さを通過することができる場合がある。少なくとも部分的には、角度維持散乱特徴部１１２を構成する要素（例えば、マルチビーム要素１１２’）のサイズが比較的小さいため、および、これらの要素の要素間の間隔（例えば、マルチビューピクセル１０６との１対１の対応）が比較的大きいため、透明性が促進され得る。
【００８１】
本明細書で説明される原理の一部の実施形態によって、マルチビューディスプレイが提供される。マルチビューディスプレイは、変調光ビームをマルチビューディスプレイのピクセルとして放射するように構成されている。さらに、放射された変調光ビームは、マルチビューディスプレイの複数のビュー方向に優先的に向けられてもよい。一部の例では、マルチビューディスプレイは、３Ｄまたはマルチビュー画像を提供または「表示」するように構成されている。様々な例によれば、変調された異なる方向の光ビームの異なるそれぞれは、マルチビュー画像に関連付けられた異なる「ビュー」の個々のピクセルに対応してもよい。異なるビューは、例えば、マルチビューディスプレイによって表示されているマルチビュー画像内の情報の「眼鏡なし」（例えば、自動立体視）表現を提供し得る。マルチビューディスプレイの用途には、携帯電話（スマートフォンなど）、時計、タブレットコンピュータ、モバイルコンピュータ（ラップトップコンピュータなど）、パーソナルコンピュータおよびコンピュータモニタ、自動車のディスプレイコンソール、カメラディスプレイ、様々な他のモバイルおよび実質的に非モバイルのディスプレイアプリケーションおよびデバイスを含むが、これらに限定されない。
【００８２】
図１０は、本明細書で説明される原理と一致する実施形態による、一例におけるマルチビューディスプレイ２００のブロック図を示す。様々な実施形態によれば、マルチビューディスプレイ２００は、異なるビュー方向の異なるビューによるマルチビュー画像を表示するように構成される。特に、マルチビューディスプレイ２００によって放射される変調光ビーム２０２は、マルチビュー画像を表示するために使用され、異なるビューのピクセル（すなわち、ビューピクセル）に対応し得る。変調光ビーム２０２は、図１０のマルチビューピクセル２１０から発する矢印として示されている。破線は、限定ではなく例として、その変調を強調するために、放射された変調光ビーム２０２の矢印に使用される。
【００８３】
図１０に示されるマルチビューディスプレイ２００は、マルチビューピクセル２１０の配列を含む。配列のマルチビューピクセル２１０は、マルチビューディスプレイ２００の複数の異なるビューを提供するように構成される。様々な実施形態によれば、配列のマルチビューピクセル２１０は、複数の指向性光ビーム２０４を変調し、かつ放射された変調光ビーム２０２を生成するように構成された複数のビューピクセルを含む。一部の実施形態において、マルチビューピクセル２１０は、光バルブ１０８の配列の光バルブ１０８のセット、または同等にはマルチビューバックライト１００に関して上述したマルチビューピクセル１０６と実質的に同様である。特に、マルチビューピクセル２１０のビューピクセルは、上述の光バルブ１０８または同等には上述のビューピクセル１０６’と実質的に同様であってもよい。すなわち、マルチビューディスプレイ２００のマルチビューピクセル２１０は、光バルブのセット（例えば、光バルブ１０８のセット）を備えてもよく、マルチビューピクセル２１０のビューピクセルは、セット中の光バルブ（例えば、単一の光バルブ１０８）を備えてもよい。
【００８４】
様々な実施形態によれば、図１０に示されるマルチビューディスプレイ２００は、角度維持散乱特徴部２２２を有する光ガイド２２０をさらに含む。一部の実施形態によれば、光ガイド２２０は、バックライト１００に関して上述した光ガイド１１０と実質的に同様である。さらに、角度維持散乱特徴部２２２は、上述の角度維持散乱特徴部１１２と実質的に同様であってもよい。
【００８５】
特に、一部の実施形態によれば、角度維持散乱特徴部２２２は、光ガイド２２０に光学的に結合されたマルチビーム要素の配列を備えてもよい。角度維持散乱特徴部２２２の各マルチビーム要素は、光ガイド２２０からのガイド光の一部を外へ結合することにより、対応するマルチビューピクセル２１０に複数の指向性光ビーム２０４を提供するように構成される。さらに、複数の指向性光ビーム２０４の指向性光ビーム２０４は、互いに異なる主角度方向を有する。さらに、指向性光ビーム２０４の異なる主角度方向は、マルチビューディスプレイ２００の異なるビューの異なるビュー方向に対応する。
【００８６】
様々な実施形態によれば、角度維持散乱特徴部２２２のマルチビーム要素のサイズは、複数のビューピクセルのビューピクセルのサイズと同等である。例えば、一部の実施形態では、マルチビーム要素のサイズは、ビューピクセルサイズの半分より大きく、ビューピクセルサイズの２倍より小さくてもよい。さらに、一部の実施形態によれば、角度維持散乱特徴部２２２のマルチビーム要素間の要素間距離は、マルチビューピクセル配列のマルチビューピクセル２１０間のピクセル間距離に対応し得る。例えば、マルチビーム要素間の要素間距離は、マルチビューピクセル２１０間のピクセル間距離に実質的に等しくてもよい。一部の例では、マルチビーム要素間の要素間距離および対応するマルチビューピクセル２１０間のピクセル間距離は、中心間距離または間隔または距離の同等の尺度として定義され得る。
【００８７】
さらに、マルチビューピクセル配列のマルチビューピクセル２１０と角度維持散乱特徴部２２２のマルチビーム要素との間に１対１の対応があってもよい。特に、一部の実施形態では、マルチビーム要素間の要素間距離（例えば、中心間）は、マルチビューピクセル２１０間のピクセル間距離（例えば、中心間）に実質的に等しくてもよい。したがって、マルチビューピクセル２１０内の各ビューピクセルは、対応するマルチビーム要素によって提供される複数の指向性光ビーム２０４の異なるそれぞれを変調するように構成され得る。さらに、様々な実施形態によれば、各マルチビューピクセル２１０は、ただ１つのマルチビーム要素からの指向性光ビーム２０４を受信および変調するように構成されてもよい。
【００８８】
一部の実施形態では、角度維持散乱特徴部２２２のマルチビーム要素は、上述の角度維持散乱特徴部１１２のマルチビーム要素１１２’と実質的に同様であってもよい。例えば、マルチビーム要素は、例えば図７Ａ〜図７Ｂに示され、上述した回折格子１１４と実質的に同様の回折格子を備えてもよい。別の例では、マルチビーム要素は、例えば図８Ａ〜図８Ｂに示され、上述した微小反射要素１１６と実質的に同様の微小反射要素を備えてもよい。さらに別の例では、マルチビーム要素は、微小屈折要素を備えてもよい。微小屈折要素は、例えば、図９に示される上記の微小屈折要素１１８と実質的に同様であってもよい。
【００８９】
図示されるように、マルチビューディスプレイ２００は、テーパ付きコリメータ２３０をさらに備える。テーパ付きコリメータ２３０は、所定のコリメーション係数によって光をコリメートするように構成される。さらに、テーパ付きコリメータ２３０は、ガイド光としてガイドされるように、コリメート光を光ガイドに提供するように構成される。一部の実施形態では、テーパ付きコリメータ２３０は、バックライト１００に関して上述したテーパ付きコリメータ１２０と実質的に同様であってもよい。特に、テーパ付きコリメータ２３０は、光をコリメートするように構成された側壁テーパおよび厚さテーパの一方または両方を有してもよい。一部の実施形態では、テーパ付きコリメータ２３０は、光ガイド２２０の幅に沿って、例えばその入射縁部に配置された複数のテーパ付きコリメーションセグメントを備えてもよい。テーパ付きコリメーションセグメントは、光ガイド幅に対応する光ガイド２２０の平面に幅または側壁テーパを有することができ、側壁テーパは、テーパ付きコリメーションセグメントの光源隣接端から光ガイド２２０に隣接する対向端までの距離の関数として、テーパ付きコリメーションセグメントの幅の増加を提供する。
【００９０】
さらに、一部の実施形態では、マルチビューディスプレイ２００は、光源２４０をさらに備えてもよい。光源２４０は、テーパ付きコリメータ２３０に光を提供するように構成される。一部の実施形態では、光は、非ゼロ伝播角度で、または非ゼロ伝播角度を有してテーパ付きコリメータ２３０に提供されてもよい。一部の実施形態によれば、光源２４０は、上述のバックライト１００およびマルチビューバックライト１００’の光源１３０と実質的に同様であってもよい。例えば、光源２４０は、複数の発光ダイオード（ＬＥＤ）、またはより一般的には複数の発光体を備えてもよい。テーパ付きコリメータ２３０がテーパ付きコリメーションセグメントを含む場合、光源２４０のＬＥＤまたは同様の発光体は、各テーパ付きコリメーションセグメントの端部に隣接する光源に光学的に結合され、したがって光源に光を提供し得る。
【００９１】
本明細書で説明される原理の他の実施形態によれば、マルチビューバックライト動作の方法が提供される。図１１は、本明細書で説明される原理と一致する実施形態による、一例におけるバックライト動作の方法３００のフローチャートを示す。図１１に示されるように、バックライト動作（またはマルチビューバックライト動作）の方法３００は、テーパ付きコリメータを使用して光をコリメートするステップ３１０を含む。光は、３１０で、テーパ付きコリメータによってコリメーション係数に従ってコリメートされる。一部の実施形態では、テーパ付きコリメータは、バックライト１００に関して上述したテーパ付きコリメータ１２０と実質的に同様であってもよい。例えば、コリメーション係数は、コリメート光の所定の角度広がりを提供するように構成された上述のコリメーション係数σであってもよい。
【００９２】
一部の実施形態では、テーパ付きコリメータは、複数のテーパ付きコリメーションセグメントを備えてもよい。テーパ付きコリメーションセグメントは、テーパ付きコリメーションセグメントの光源隣接入力端（または入力端）から光ガイドに隣接する対向端までの距離の関数として増加する、光ガイドの幅に対応する光ガイドの平面に幅を有してもよい。さらに、一部の実施形態では、テーパ付きコリメータまたは同等にはテーパ付きコリメーションセグメントは、テーパ付きコリメータ１２０に関して上述した厚さテーパと同様の厚さテーパを有してもよい。
【００９３】
図１１に示されるバックライト動作の方法３００は、コリメーション係数を有するガイド光として、光ガイドの長さに沿った伝播方向にコリメート光をガイドするステップ３２０をさらに含む。コリメーション係数は、ガイド光の所定の角度広がりを提供するように構成される。一部の実施形態では、３２０で、ガイド光は、非ゼロ伝播角度でガイドされてもよい。一部の実施形態によれば、光ガイドは、バックライト１００に関して上述した光ガイド１１０と実質的に同様であってもよい。
【００９４】
図１１に示されるように、マルチビューバックライト動作の方法３００は、光ガイドの角度維持散乱特徴部を使用して、光ガイドからガイド光の一部を散乱させるステップ３３０をさらに含む。ガイド光の散乱部分は、放射光としてバックライトから放射される。一部の実施形態では、角度維持散乱特徴部は、上述の光ガイド１１０の角度維持散乱特徴部１１２と実質的に同様であってもよい。
【００９５】
特に、一部の実施形態では、角度維持散乱特徴部はマルチビーム要素を含む。これらの実施形態では、放射光は、互いに異なる主角度方向を有する複数の指向性光ビームを含む。様々な実施形態において、指向性光ビームの異なる主角度方向は、マルチビューディスプレイのそれぞれ異なるビュー方向に対応する。さらに、一部の実施形態によれば、マルチビーム要素のサイズは、マルチビューディスプレイのマルチビューピクセル内のビューピクセルのサイズと同等であり得る。例えば、マルチビーム要素は、ビューピクセルサイズの半分より大きく、ビューピクセルサイズの２倍より小さくてもよい。
【００９６】
一部の実施形態では、角度維持散乱特徴部のマルチビーム要素は、上述のマルチビューバックライト１００’のマルチビーム要素１１２’と実質的に同様であってもよい。例えば、マルチビーム要素は、複数のマルチビーム要素またはマルチビーム要素の配列の一部であってもよい。さらに、一部の実施形態では、マルチビーム要素は、回折格子、微小反射要素、および微小屈折要素のうちの１つまたはそれ以上を備えてもよい。
【００９７】
特に、一部の実施形態によれば、ガイド光部分の散乱ステップ３３０に使用されるマルチビーム要素は、光ガイドに光学的に結合された回折格子を含み、ガイド光部分を回折により散乱３３０または外へ結合する。回折格子は、例えば、マルチビーム要素１１２’の回折格子１１４と実質的に同様であってもよい。別の実施形態では、マルチビーム要素は、ガイド光部分を反射により散乱３３０するために、光ガイドに光学的に結合された微小反射要素を備えてもよい。例えば、微小反射要素は、マルチビーム要素１１２’に関して上述した微小反射要素１１６と実質的に同様であってもよい。さらに別の実施形態では、マルチビーム要素は、ガイド光部分を屈折的に散乱３３０するために、光ガイドに光学的に結合された微小屈折要素を備えてもよい。微小屈折要素は、上述のマルチビーム要素１１２’の微小屈折要素１１８と実質的に同様であってもよい。
【００９８】
一部の実施形態（図示せず）では、マルチビューバックライト動作の方法３００は、光源を使用してテーパ付きコリメータに光を提供するステップをさらに含む。提供された光は、非ゼロ伝播角度を有する。一部の実施形態では、光源は、上述のマルチビューバックライト１００の光源１３０と実質的に同様であってもよい。例えば、光源は、限定されないが、複数の発光ダイオードなどの複数の光エミッタを使用して光を提供してもよい。テーパ付きコリメータが複数のテーパ付きコリメータセグメントを含む場合、光の提供は、例えば、各テーパ付きコリメータセグメントの入力端に（例えば、別個の光エミッタで）別々に光を提供することを含み得る。
【００９９】
一部の実施形態では、マルチビューバックライト動作の方法３００は、複数の光バルブを使用して放射光を変調するステップ３４０をさらに含む。一部の実施形態では、放射光は指向性光ビームを含み、光バルブはマルチビューディスプレイのマルチビューピクセルとして構成されてもよい。さらに、複数の光バルブまたは光バルブ配列の光バルブは、マルチビューピクセルのビューピクセルに対応してもよい。一部の実施形態によれば、複数の光バルブは、図６Ａ〜６Ｃおよびマルチビューバックライト１００’に関して上述した光バルブ１０８の配列と実質的に同様であってもよい。特に、上述したように、第１および第２の光バルブセット１０８ａ、１０８ｂの異なるマルチビューピクセル１０６への対応と同様の方法で、光バルブの異なるセットは異なるマルチビューピクセルに対応し得る。さらに、光バルブ配列の個々の光バルブは、図６Ａ〜図６Ｃの上記参照議論において光バルブ１０８がビューピクセル１０６’に対応するように、マルチビューピクセルのビューピクセルに対応し得る。
【０１００】
このように、バックライト、マルチビューバックライト、バックライト動作の方法、およびビューピクセルを含むマルチビューピクセルを有するマルチビューディスプレイの例および実施形態を説明してきた。バックライト、方法、およびマルチビューディスプレイは、テーパ付きコリメータと角度維持散乱特徴部を備えた光ガイドとを使用して、一部の実施形態においてマルチビュー画像の複数の異なるビューのそれぞれの方向に対応する方向を有する指向性光ビームを含む放射光を提供する。上記の例は、本明細書で説明される原理を表す多くの特定の例の一部を単に例示するものであることを理解されたい。明らかに、当業者者は、添付の特許請求の範囲によって定義される範囲から逸脱することなく、多数の他の構成を容易に考案することができる。
【図１Ａ】
0006971324.tif 000003
【図１Ｂ】
0006971324.tif 000004
【図２】
0006971324.tif 000005
【図３Ａ】
0006971324.tif 000006
【図３Ｂ】
0006971324.tif 000007
【図３Ｃ】
0006971324.tif 000008
【図４Ａ】
0006971324.tif 000009
【図４Ｂ】
0006971324.tif 000010
【図４Ｃ】
0006971324.tif 000011
【図５】
0006971324.tif 000012
【図６Ａ】
0006971324.tif 000013
【図６Ｂ】
0006971324.tif 000014
【図６Ｃ】
0006971324.tif 000015
【図７Ａ】
0006971324.tif 000016
【図７Ｂ】
0006971324.tif 000017
【図８Ａ】
0006971324.tif 000018
【図８Ｂ】
0006971324.tif 000019
【図９】
0006971324.tif 000020
【図１０】
0006971324.tif 000021
【図１１】
0006971324.tif 000022